(57)【特許請求の範囲】
【請求項１】
観測到着時間差（ＯＴＤＯＡ）支援情報を提供する方法であって、
移動局（ＭＳ）に対して、前記ＭＳの１つまたは複数の隣接セルについてのセルタイミング情報を含む測定を要求することと、
前記１つまたは複数の隣接セルのサブセットについての隣接セル測定を受信することと、前記隣接セル測定は、前記ＭＳ用のサービングセルに対する前記サブセット中の前記隣接セルのセルタイミングオフセットを備えるセルタイミング情報を含み、各セルタイミングオフセットは前記サブセット中の固有隣接セルに関連付けられる、
ＯＴＤＯＡ支援データ基準セルと、前記サービングセルと前記ＯＴＤＯＡ支援データ基準セルとの間のシステムフレーム番号（ＳＦＮ）オフセットとを備えるＯＴＤＯＡ支援データを生成することと、前記ＯＴＤＯＡ支援データ基準セルは、前記受信された隣接セル測定に基づいて選択され、前記ＯＴＤＯＡ支援データを生成するために使用され、前記ＳＦＮオフセットは、前記ＯＴＤＯＡ支援データ基準セルのＳＦＮを決定するために使用される、
を備える方法。
【請求項２】
前記ＯＴＤＯＡ支援データを前記ＭＳに送ることをさらに備える、請求項１に記載の方法。
【請求項３】
前記ＯＴＤＯＡ支援データが、ロングタームエボリューション（ＬＴＥ）測位プロトコル（ＬＰＰ）またはＬＰＰ拡張（ＬＰＰｅ）メッセージを使って前記ＭＳに送られる、請求項２に記載の方法。
【請求項４】
前記ＯＴＤＯＡ支援データは、
ＯＴＤＯＡ支援データセルのセットを備えるＯＴＤＯＡ支援データセル情報をさらに備え、前記ＯＴＤＯＡ支援データセルは、前記受信された隣接セル測定に基づいて選択される、請求項１に記載の方法。
【請求項５】
前記ＭＳに対して要求される前記測定は、前記１つまたは複数の隣接セルについてのセルグローバルアイデンティティ（ＣＧＩ）または次世代ＵＴＲＡＮセルグローバルアイデンティティ（ＥＣＧＩ）をさらに備える、請求項１に記載の方法。
【請求項６】
前記方法は、前記ＭＳに通信可能に結合されたロケーションサーバによって実施される、請求項１に記載の方法。
【請求項７】
プロセッサと、前記プロセッサは、移動局（ＭＳ）に対して、前記ＭＳの１つまたは複数の隣接セルについてのセルタイミング情報を含む測定を要求するように構成され、前記セルタイミング情報は、前記ＭＳ用のサービングセルに対する、前記隣接セルのセルタイミングオフセットを備え、各セルタイミングオフセットは固有隣接セルに関連付けられる、
前記プロセッサに結合された通信インターフェースと、前記通信インターフェースは、前記隣接セルのサブセットについての隣接セル測定を受信するように構成される、を備えるサーバであって、
ここにおいて前記プロセッサは、観測到着時間差（ＯＴＤＯＡ）支援データ基準セルと、前記サービングセルと前記ＯＴＤＯＡ支援データ基準セルとの間のシステムフレーム番号（ＳＦＮ）オフセットとを備えるＯＴＤＯＡ支援データを生成するようにさらに構成され、前記ＯＴＤＯＡ支援データ基準セルは、前記受信された隣接セル測定に基づいて選択され、前記ＯＴＤＯＡ支援データを生成するために使用され、前記ＳＦＮオフセットは、前記ＯＴＤＯＡ支援データ基準セルのＳＦＮを決定するために使用される、
サーバ。
【請求項８】
前記通信インターフェースは、前記ＯＴＤＯＡ支援データを前記ＭＳに送るようにさらに構成される、請求項７に記載のサーバ。
【請求項９】
前記プロセッサは、前記ＯＴＤＯＡ支援データをロングタームエボリューション（ＬＴＥ）測位プロトコル（ＬＰＰ）またはＬＰＰ拡張（ＬＰＰｅ）メッセージとして生成するように構成される、請求項７に記載のサーバ。
【請求項１０】
前記ＯＴＤＯＡ支援データは、
ＯＴＤＯＡ支援データセルのセットを備えるＯＴＤＯＡ支援データセル情報をさらに備え、
ここにおいて前記プロセッサは、前記受信された隣接セル測定に基づいて前記ＯＴＤＯＡ支援データセルを選択するように構成される、請求項７に記載のサーバ。
【請求項１１】
前記ＭＳに対して要求される前記測定は、前記１つまたは複数の隣接セルのセルグローバルアイデンティティ（ＣＧＩ）または次世代ＵＴＲＡＮセルグローバルアイデンティティ（ＥＣＧＩ）をさらに備える、請求項７に記載のサーバ。
【請求項１２】
移動局（ＭＳ）に対して、前記ＭＳの１つまたは複数の隣接セルについてのセルタイミング情報を含む測定を要求するための手段と、前記セルタイミング情報は、前記ＭＳ用のサービングセルに対する、前記隣接セルのセルタイミングオフセットを備え、各セルタイミングオフセットは固有隣接セルに関連付けられる、
前記隣接セルのサブセットについての前記要求された隣接セル測定を受信するための手段と、
観測到着時間差（ＯＴＤＯＡ）支援データ基準セルと、前記サービングセルと前記ＯＴＤＯＡ支援データ基準セルとの間のシステムフレーム番号（ＳＦＮ）オフセットとを備えるＯＴＤＯＡ支援データを生成するための手段と、前記ＯＴＤＯＡ支援データ基準セルは、前記受信された隣接セル測定に基づいて選択され、前記ＯＴＤＯＡ支援データを生成するために使用される、前記ＳＦＮオフセットは、前記ＯＴＤＯＡ支援データ基準セルのＳＦＮを決定するために使用される、
を備える装置。
【請求項１３】
前記ＯＴＤＯＡ支援データを前記ＭＳに送るための手段をさらに備える、請求項１２に記載の装置。
【請求項１４】
前記ＯＴＤＯＡ支援データは、ロングタームエボリューション（ＬＴＥ）測位プロトコル（ＬＰＰ）またはＬＰＰ拡張（ＬＰＰｅ）メッセージとして生成される、請求項１２に記載の装置。
【請求項１５】
ＯＴＤＯＡ支援データを生成するための前記手段は、
前記受信された隣接セル測定に基づいてＯＴＤＯＡ支援データセルを選択するための手段をさらに備え、
ここにおいて、ＯＴＤＯＡ支援データを生成するための前記手段は、前記選択されたＯＴＤＯＡ支援データセルを、前記生成されたＯＴＤＯＡ支援データ中のＯＴＤＯＡ支援データセル情報の一部として含める、請求項１２に記載の装置。
【請求項１６】
前記ＭＳに対して要求される前記測定は、前記１つまたは複数の隣接セルのセルグローバルアイデンティティ（ＣＧＩ）または次世代ＵＴＲＡＮセルグローバルアイデンティティ（ＥＣＧＩ）をさらに備える、請求項１２に記載の装置。
【請求項１７】
命令を備える非一時的コンピュータ可読記憶媒体であって、前記命令は、プロセッサによって実行されると、観測到着時間差（ＯＴＤＯＡ）支援情報を提供するための方法におけるステップを実施し、前記ステップは、
移動局（ＭＳ）に対して、前記ＭＳの１つまたは複数の隣接セルについてのセルタイミング情報を含む測定を要求することと、
前記１つまたは複数の隣接セルのサブセットについての隣接セル測定を受信することと、前記隣接セル測定は、前記ＭＳ用のサービングセルに対する前記サブセット中の前記隣接セルのセルタイミングオフセットを備えるセルタイミング情報を含み、各セルタイミングオフセットは前記サブセット中の固有隣接セルに関連付けられる、
ＯＴＤＯＡ支援データ基準セルと、前記サービングセルと前記ＯＴＤＯＡ支援データ基準セルとの間のシステムフレーム番号（ＳＦＮ）オフセットとを備えるＯＴＤＯＡ支援データを生成することと、前記ＯＴＤＯＡ支援データ基準セルは、前記受信された隣接セル測定に基づいて選択され、前記ＯＴＤＯＡ支援データを生成するために使用され、前記ＳＦＮオフセットは、前記ＯＴＤＯＡ支援データ基準セルのＳＦＮを決定するために使用される、
を備える、コンピュータ可読記憶媒体。
【請求項１８】
前記ＯＴＤＯＡ支援情報を前記ＭＳに送ることをさらに備える、請求項１７に記載のコンピュータ可読記憶媒体。
【請求項１９】
前記ＯＴＤＯＡ支援データは、
ＯＴＤＯＡ支援データセルのセットを備えるＯＴＤＯＡ支援データセル情報をさらに備え、前記ＯＴＤＯＡ支援データセルは、前記受信された隣接セル測定に基づいて選択される、請求項１７に記載のコンピュータ可読記憶媒体。
【請求項２０】
前記ＭＳに対して要求される前記測定は、前記１つまたは複数の隣接セルのセルグローバルアイデンティティ（ＣＧＩ）または次世代ＵＴＲＡＮセルグローバルアイデンティティ（ＥＣＧＩ）をさらに備える、請求項１７に記載のコンピュータ可読記憶媒体。
【請求項２１】
前記ＯＴＤＯＡ支援情報が、ロングタームエボリューション（ＬＴＥ）測位プロトコル（ＬＰＰ）またはＬＰＰ拡張（ＬＰＰｅ）メッセージを使って前記ＭＳに送られる、請求項１７に記載のコンピュータ可読記憶媒体。
【発明の詳細な説明】
【技術分野】
【０００１】
関連出願の相互参照
[0001]本出願は、２０１３年１１月２５日に出願した、「Ｐｒｏｖｉｄｉｎｇ  ＯＴＤＯＡ  ＰＲＳ  Ａｓｓｉｓｔａｎｃｅ  Ｄａｔａ」と題する米国出願第１４／０８９，７３８号の利益と優先権とを主張し、この出願は、２０１３年７月１２日に出願した、「Ｐｒｏｖｉｄｉｎｇ  ＯＴＤＯＡ  ＰＲＳ  Ａｓｓｉｓｔａｎｃｅ  Ｄａｔａ」と題する米国仮出願第６１／８４５，８７２号の利益と優先権とを主張し、これらは両方とも、本出願の譲受人に譲渡され、その全体が、参照によって本出願に組み込まれている。
【０００２】
[0002]本明細書で開示される主題は、測位基準信号（ＰＲＳ）支援データの提供に関する。
【背景技術】
【０００３】
[0003]しばしば、セルラーフォンなどの端末のロケーションを知ることが望ましい。たとえば、ロケーションサービス（ＬＣＳ）クライアントは、救急サービス通話の場合に、または航法援助もしくは方向探知などのサービスを端末のユーザに提供するために、端末のロケーションを知ることを望む場合がある。「ロケーション」と「位置」という用語は同義であり、本明細書では互換的に使用される。
【０００４】
[0004]観測到着時間差（ＯＴＤＯＡ）ベースの測位において、移動局は、複数の基地局からの受信信号の時間差を測定することができる。基地局の位置が既知なので、観測された時間差は、端末のロケーションを算出するのに使用され得る。ロケーション決定をさらに助けるために、測位基準信号（ＰＲＳ）が、ＯＴＤＯＡ測位性能を向上させるために基地局（ＢＳ）によってしばしば提供される。基準セル（たとえば、サービングセル）および１つまたは複数の隣接セルからのＰＲＳの測定された到着時間差は、基準信号時間差（ＲＳＴＤ）として知られている。ＲＳＴＤ測定、各セルの絶対または相対送信タイミング、ならびに基準および隣接セルについてのＢＳ物理送信アンテナの既知の位置を使って、移動局の（ＭＳの）位置が算出され得る。
【０００５】
[0005]ＯＴＤＯＡベースの測位を円滑にするために、ロケーションサーバは、セルタイミング（システムフレーム番号（ＳＦＮ））が移動局（ＭＳ）によってそれについて取得され得る、少なくとも１つのセルについての支援データを含み得る。支援データは、支援データ基準セルまたは隣接セルリストから選択された１つもしくは複数のセルに関し得る。サービングセルについてのセルタイミング（システムフレーム番号など）情報が概してＭＳにとって利用可能なので、通常、サービングセルに関するＯＴＤＯＡ支援データが提供される。
【０００６】
[0006]ただし、いくつかの状況では、サービングセルはＯＴＤＯＡ支援データに含まれない場合がある。たとえば、ＭＳ用サービングセルは、ロケーションおよびタイミングがロケーションサーバに知られていない場合があるフェムトセルであり得る。他の事例では、フェムトセル用にＰＲＳが構成されない場合がある。さらなる一例として、ＭＳサービングセルは、周波数ｆ１で動作する周波数レイヤに属す場合があり、ＰＲＳまたは支援データセルは、周波数ｆ２で動作する周波数間レイヤ上で展開される。
【０００７】
[0007]したがって、サービングセルがＯＴＤＯＡ支援データに含められない可能性がある状況において、位置決定を向上させ、ロケーション決定のためのＰＲＳ信号の使用を可能にするための装置、システムおよび方法が必要とされている。
【発明の概要】
【０００８】
[0008]いくつかの実施形態では、ＯＴＤＯＡ支援情報を提供する方法が開示され、ここで方法は、ＭＳに対して、ＭＳの１つまたは複数の隣接セルについてのセルタイミング情報を含む測定を要求することと、１つまたは複数の隣接セルのサブセットについての隣接セル測定を受信することと、隣接セル測定は、ＭＳ用のサービングセルに対する、サブセット中の隣接セルのセルタイミングオフセットを備えるセルタイミング情報を含み、各セルタイミングオフセットはサブセット中の固有隣接セルに関連付けられる、ＯＴＤＯＡ支援データ基準セルと、サービングセルとＯＴＤＯＡ支援データ基準セルとの間のセルタイミングオフセットとを備えるＯＴＤＯＡ支援データを生成することと、ＯＴＤＯＡ支援データ基準セルは、受信された隣接セル測定に基づいて選択される、を備える。
【０００９】
[0009]開示する実施形態は、所望の長さをもつアイドル期間を基地局に対して要求することと、アイドル期間についての要求は、１つまたは複数の隣接セルに関する測定についての、ＭＳによって受信された要求に応答して行われ、要求された測定は、１つまたは複数の隣接セルについてのシステムフレーム番号（ＳＦＮ）またはセルグローバルアイデンティティ（ＣＧＩ）のうちの少なくとも１つを備える、アイドル期間が構成されたという確認を受信すると、アイドル期間中に１つまたは複数の隣接セルのサブセットについての要求された測定を実施することと、ここにおいて測定は、サブセット中の隣接セルについてのセルタイミング情報をさらに備える、を備えるＭＳ上での方法にも関する。
【００１０】
[0010]別の態様では、ＭＳ上での方法は、ＭＳのサービングセルとＯＴＤＯＡ支援データ基準セルとの間のシステムフレーム番号（ＳＦＮ）オフセットを備えるＯＴＤＯＡ支援データを受信することと、ＯＴＤＯＡ支援データ基準セルはＭＳの隣接セルのセットから選択され、ここにおいてＯＴＤＯＡ支援データは、隣接セルのセット中のセルのＭＳによって実施された測定に少なくとも部分的に基づく、ＯＴＤＯＡ支援データ中に含まれるサービングセルのＳＦＮおよびＳＦＮオフセットに基づいて、ＯＴＤＯＡ支援データ基準セルのＳＦＮを決定することと、ＯＴＤＯＡ支援データ基準セルのＳＦＮおよびＯＴＤＯＡ支援データ中に含まれるＰＲＳ情報に基づいて、隣接セルのセットの測位基準信号（ＰＲＳ）機会を決定することとを備え得る。
【００１１】
[0011]いくつかの実施形態では、サーバが、プロセッサと、ここにおいてプロセッサは、ＭＳに対して、ＭＳの１つまたは複数の隣接セルについてのセルタイミング情報を含む測定を要求するように構成され、セルタイミング情報は、ＭＳ用のサービングセルに対する、隣接セルのセルタイミングオフセットを備え、各セルタイミングオフセットは固有隣接セルに関連付けられる、プロセッサに結合された通信インターフェースと、通信インターフェースは、隣接セルのサブセットについての隣接セル測定を受信するように構成される、を備え得る。プロセッサは、ＯＴＤＯＡ支援データ基準セルと、サービングセルとＯＴＤＯＡ支援データ基準セルとの間のセルタイミングオフセットとを備えるＯＴＤＯＡ支援データを生成するようにさらに構成されてよく、ここにおいてＯＴＤＯＡ支援データ基準セルは、受信された隣接セル測定に基づいて選択される。
【００１２】
[0012]いくつかの実施形態では、ＭＳが、トランシーバと、トランシーバは、１つまたは複数の隣接セルに関する測定についての要求を受信するためであり、要求される測定は、１つまたは複数の隣接セルについてのシステムフレーム番号（ＳＦＮ）またはセルグローバルアイデンティティ（ＣＧＩ）のうちの少なくとも１つを備える、トランシーバに結合されたプロセッサとを備え得る。さらに、プロセッサは、所望の長さをもつアイドル期間を基地局に対して要求し、アイドル期間についての要求は、１つまたは複数の隣接セルに関する測定についての要求に応答して行われる、アイドル期間が構成されたという確認を受信すると、アイドル期間中に１つまたは複数の隣接セルのサブセットについての要求された測定を実施する、ここにおいて測定は、サブセット中の隣接セルについてのセルタイミング情報を備える、ように構成される。
【００１３】
[0013]いくつかの実施形態では、ＭＳが、ＭＳのサービングセルとＯＴＤＯＡ支援データ基準セルとの間のシステムフレーム番号（ＳＦＮ）オフセットを備えるＯＴＤＯＡ支援データを受信するためのトランシーバと、ＯＴＤＯＡ支援データ基準セルはＭＳの隣接セルのセットから選択され、ここにおいてＯＴＤＯＡ支援データは、隣接セルのセット中のセルのＭＳによって実施された測定に少なくとも部分的に基づく、トランシーバに結合されたプロセッサとを備え得る。さらに、プロセッサは、ＯＴＤＯＡ支援データ中に含まれるサービングセルのＳＦＮおよびＳＦＮオフセットに基づいて、ＯＴＤＯＡ支援データ基準セルのＳＦＮを決定し、ＯＴＤＯＡ支援データ基準セルのＳＦＮおよびＯＴＤＯＡ支援データ中に含まれるＰＲＳ情報に基づいて、隣接セルのセットの測位基準信号（ＰＲＳ）機会を決定するように構成され得る。
【００１４】
[0014]いくつかの実施形態では、装置が、ＭＳに対して、ＭＳの１つまたは複数の隣接セルについてのセルタイミング情報を含む測定を要求するための手段と、セルタイミング情報は、ＭＳ用のサービングセルに対する、隣接セルのセルタイミングオフセットを備え、各セルタイミングオフセットは固有隣接セルに関連付けられる、隣接セルのサブセットについての要求された隣接セル測定を受信するための手段と、ＯＴＤＯＡ支援データ基準セルと、サービングセルとＯＴＤＯＡ支援データ基準セルとの間のセルタイミングオフセットとを備えるＯＴＤＯＡ支援データを生成するための手段と、ＯＴＤＯＡ支援データ基準セルは、受信された隣接セル測定に基づいて選択される、を備え得る。
【００１５】
[0015]いくつかの実施形態では、ＭＳが、１つまたは複数の隣接セルに関する測定についての要求を受信するための手段と、要求された測定は、１つまたは複数の隣接セルについてのシステムフレーム番号（ＳＦＮ）またはセルグローバルアイデンティティ（ＣＧＩ）のうちの少なくとも１つを備える、所望の長さをもつアイドル期間を基地局に対して要求するための手段と、アイドル期間についての要求は、１つまたは複数の隣接セルに関する測定についての要求に応答して行われる、アイドル期間が構成されたという確認を受信すると、アイドル期間中に１つまたは複数の隣接セルのサブセットについての要求された測定を実施するための手段と、ここにおいて測定は、サブセット中の隣接セルについてのセルタイミング情報を備える、を備え得る。
【００１６】
[0016]さらに、いくつかの実施形態では、ＭＳが、ＭＳのサービングセルとＯＴＤＯＡ支援データ基準セルとの間のシステムフレーム番号（ＳＦＮ）オフセットを備えるＯＴＤＯＡ支援データを受信するための手段と、ＯＴＤＯＡ支援データ基準セルはＭＳの隣接セルのセットから選択され、ここにおいてＯＴＤＯＡ支援データは、隣接セルのセット中のセルのＭＳによって実施された測定に少なくとも部分的に基づく、ＯＴＤＯＡ支援データ中に含まれるサービングセルのＳＦＮおよびＳＦＮオフセットに基づいて、ＯＴＤＯＡ支援データ基準セルのＳＦＮを決定するための手段と、ＯＴＤＯＡ支援データ基準セルのＳＦＮおよびＯＴＤＯＡ支援データ中に含まれるＰＲＳ情報に基づいて、隣接セルのセットの測位基準信号（ＰＲＳ）機会を決定するための手段とを備え得る。
【００１７】
[0017]いくつかの実施形態では、非一時的コンピュータ可読媒体が命令を備えることができ、命令は、プロセッサによって実行されると、ＯＴＤＯＡ支援情報を提供するための方法におけるステップを実施し、ここでステップは、ＭＳに対して、ＭＳの１つまたは複数の隣接セルについてのセルタイミング情報を含む測定を要求することと、１つまたは複数の隣接セルのサブセットについての隣接セル測定を受信することと、隣接セル測定は、ＭＳ用のサービングセルに対するサブセット中の隣接セルのセルタイミングオフセットを備えるセルタイミング情報を含み、各セルタイミングオフセットはサブセット中の固有隣接セルに関連付けられる、ＯＴＤＯＡ支援データ基準セルと、サービングセルとＯＴＤＯＡ支援データ基準セルとの間のセルタイミングオフセットとを備えるＯＴＤＯＡ支援データを生成することと、ＯＴＤＯＡ支援データ基準セルは、受信された隣接セル測定に基づいて選択される、を備え得る。
【００１８】
[0018]いくつかの実施形態では、非一時的コンピュータ可読媒体が命令を備えることができ、命令は、プロセッサによって実行されると、移動局（ＭＳ）上での方法におけるステップを実施し、ここでステップは、所望の長さをもつアイドル期間を基地局に対して要求することと、アイドル期間についての要求は、１つまたは複数の隣接セルに関する測定についての、ＭＳによって受信された要求に応答して行われ、要求される測定は、１つまたは複数の隣接セルについてのシステムフレーム番号（ＳＦＮ）またはセルグローバルアイデンティティ（ＣＧＩ）のうちの少なくとも１つを備える、アイドル期間が構成されたという確認を受信すると、アイドル期間中に１つまたは複数の隣接セルのサブセットについての要求された測定を実施することと、ここにおいて測定は、サブセット中の隣接セルについてのセルタイミング情報を備える、を備え得る。
【００１９】
[0019]いくつかの実施形態では、非一時的コンピュータ可読媒体が命令を備えることができ、命令は、プロセッサによって実行されると、移動局（ＭＳ）上での方法におけるステップを実施し、ステップは、ＭＳのサービングセルとＯＴＤＯＡ支援データ基準セルとの間のシステムフレーム番号（ＳＦＮ）オフセットを備えるＯＴＤＯＡ支援データを受信することと、ＯＴＤＯＡ支援データ基準セルはＭＳの隣接セルのセットから選択され、ここにおいてＯＴＤＯＡ支援データは、隣接セルのセット中のセルのＭＳによって実施された測定に少なくとも部分的に基づく、ＯＴＤＯＡ支援データ中に含まれるサービングセルのＳＦＮおよびＳＦＮオフセットに基づいて、ＯＴＤＯＡ支援データ基準セルのＳＦＮを決定することと、ＯＴＤＯＡ支援データ基準セルのＳＦＮおよびＯＴＤＯＡ支援データ中に含まれるＰＲＳ情報に基づいて、隣接セルのセットの測位基準信号（ＰＲＳ）機会を決定することとを備え得る。
【００２０】
[0020]開示される方法は、ＬＰＰ、ＬＰＰｅ、または他のプロトコルを使用して、サーバ（ロケーションサーバを含む）、移動局などのうちの１つまたは複数によって実施され得る。開示される実施形態は、非一時的なコンピュータ可読媒体またはコンピュータ可読メモリを使用してプロセッサによって作成され、記憶され、アクセスされ、読み取られ、または変更されるソフトウェア命令、ファームウェア命令、およびプログラム命令にも関する。
【図面の簡単な説明】
【００２１】
【図１】[0021]ロケーション支援データまたはロケーション情報の転送を含むロケーションサービスをＭＳ１２０に提供することが可能な例示的なシステム１００のアーキテクチャを示す図。
【図２】[0022]ＭＳ１２０のロケーションを決定することが可能なシステム１７５内のいくつかのエンティティを示す単純化されたブロック図。
【図３Ａ】[0023]測位基準信号（ＰＲＳ）をもつ例示的ＬＴＥ（登録商標）フレームの構造を示す図。
【図３Ｂ】[0024]システムフレーム番号（ＳＦＮ）と、セル固有サブフレームオフセットとＰＲＳ周期性との間の関係を示す図。
【図４】[0025]開示される実施形態と一貫するやり方で、ＯＴＤＯＡ支援データをＭＳに提供するための例示的方法のためのフローチャート。
【図５】[0026]開示される実施形態と一貫するやり方で、隣接セルについてのセルタイミング情報（ＳＦＮなど）を取得し、ＯＴＤＯＡ測定を実施するための例示的方法のためのフローチャート。
【図６】[0027]支援データセルがＭＳのサービングセルを含まない支援データセルのＰＲＳ機会を決定するための例示的方法のためのフローチャート。
【図７】[0028]開示される実施形態と一貫するやり方で、ＯＴＤＯＡ支援データの決定と転送とをサポートする手順の例示的メッセージフロー５００を示す図。
【図８】[0029]開示される実施形態と一貫するやり方で、非サービングセルについてのＯＴＤＯＡ支援情報を使ってＯＴＤＯＡ測定をサポートするように対応したＭＳのいくつかの例示的特徴を示す概略ブロック図。
【図９】[0030]開示される実施形態と一貫するやり方で、ＭＳの非サービング隣接セルについてのＯＴＤＯＡ支援情報を提供することによって、ＯＴＤＯＡ測定のサポートを含む、ＭＳ向けのロケーションサービスをサポートするように対応したサーバを示す概略ブロック図。
【発明を実施するための形態】
【００２２】
[0031]「移動局」（ＭＳ）、「ユーザ機器」（ＵＥ）、または「ターゲット」という用語は、本明細書では互換的に使用され、セルラーもしくは他のワイヤレス通信デバイス、パーソナル通信システム（ＰＣＳ）デバイス、パーソナルナビゲーションデバイス（ＰＮＤ）、パーソナル情報マネージャ（ＰＩＭ）、携帯情報端末（ＰＤＡ）、ラップトップ、またはワイヤレス通信信号および／もしくはナビゲーション信号を受信することが可能な他の適切なモバイルデバイスなどのデバイスを指すことができる。これらの用語は、衛星信号受信、支援データ受信、および／または位置関連処理がデバイスそれともＰＮＤにおいて起こるのかにかかわらず、短距離ワイヤレス、赤外線、ワイヤライン接続、または他の接続によるなど、パーソナルナビゲーションデバイス（ＰＮＤ）と通信するデバイスを含むことも意図されている。
【００２３】
[0032]さらに、ＭＳ、ＵＥ、「移動局」または「ターゲット」という用語は、衛星信号受信、支援データ受信、および／または位置関連処理がデバイスにおいて、サーバにおいて、それともネットワークに関連する別のデバイスにおいて起こるのかにかかわらず、インターネット、ＷｉＦｉ（登録商標）、セルラーワイヤレスネットワーク、ＤＳＬネットワーク、パケットケーブルネットワーク、または他のネットワークを介するなど、サーバとの通信が可能なワイヤレスおよびワイヤラインの通信デバイス、コンピュータ、ラップトップなどを含むすべてのデバイスを含むことが意図されている。上の任意の動作可能な組合せも「移動局」と見なされる。
【００２４】
[0033]図１は、いくつかの事例では、ロケーションサーバまたは別のネットワークエンティティの形をとり得るＭＳ１２０とサーバ１５０との間のロングタームエボリューション（ＬＴＥ）測位プロトコル（ＬＰＰ）またはＬＰＰ拡張（ＬＰＰｅ）メッセージなどのメッセージを使って、ロケーション支援データまたはロケーション情報の転送を含むロケーションサービスをＭＳ１２０に提供することが可能なシステム１００のアーキテクチャを示す。ロケーション情報の転送は、ＭＳ１２０とサーバ１５０の両方に適したレートで起こり得る。ＬＰＰは、周知であり、第３世代パートナーシッププロジェクト（３ＧＰＰ（登録商標））と称する組織からの公開されている技術仕様書に記載されている。ＬＰＰｅは、オープンモバイルアライアンス（ＯＭＡ）によって定義され、各組み合わされたＬＰＰ／ＬＰＰｅメッセージが、埋め込まれたＬＰＰｅメッセージを備えるＬＰＰメッセージになるように、ＬＰＰと組み合わせて使用され得る。
【００２５】
[0034]簡単のために、１つのＭＳ１２０および１つのサーバ１５０のみが、図１に示されている。一般に、システム１００は、追加のネットワーク１３０と、ＬＣＳクライアント１６０と、移動局１２０と、サーバ１５０と、（基地局）アンテナ１４０と、宇宙ビークル（ＳＶ）１８０とを有する、１４５−ｋ（０≦ｋ≦Ｎcells、ただし、Ｎcellsはセルの個数）によって示される複数のセルを備えることができる。システム１００は、本明細書で開示される実施形態と一貫するやり方で、セル１４５−１、１４５−３、および１４５−４などのマクロセルを、セル１４５−２などのフェムトセルとともに含むセルの混合をさらに備え得る。
【００２６】
[0035]ＭＳ１２０は、ＯＭＡによって定義されたセキュアユーザプレーンロケーション（ＳＵＰＬ）ロケーション解とＬＴＥサービングネットワークとともに使用するために３ＧＰＰによって定義された制御プレーンロケーション解とを含むことができるがこれに限定されない、測位サービスとロケーションサービスとをサポートする１つまたは複数のネットワーク１３０を介してサーバ１５０とワイヤレスに通信できるものとされ得る。たとえば、ロケーションサービス（ＬＣＳ）は、サーバ１５０（ロケーションサーバの形をとり得る）にアクセスし、ＭＳ１２０のロケーションを求める要求を発行するＬＣＳクライアント１６０の代わりに実施され得る。次いで、サーバ１５０は、ＭＳ１２０のロケーション推定値でＬＣＳクライアント１６０に応答することができる。ＬＣＳクライアント１６０は、たとえばサーバ１５０およびＭＳ１２０によって使用されるロケーション解がＳＵＰＬであるときに、ＳＵＰＬエージェントとして知られる場合もある。いくつかの実施形態では、ＭＳ１２０は、ＭＳ１２０内の何らかの測位対応機能にロケーション要求を発行し、その後にＭＳ１２０のロケーション推定値を受け取ることができる、ＬＣＳクライアントまたはＳＵＰＬエージェント（図１には図示せず）も含むことができる。ＭＳ１２０内のＬＣＳクライアントまたはＳＵＰＬエージェントは、ＭＳ１２０のユーザのためにロケーションサービスを実施し、たとえば、ナビゲーション指示を提供し、またはＭＳ１２０の付近の当該の点を識別することができる。
【００２７】
[0036]本明細書で使用するサーバ１５０は、ＳＵＰＬロケーションプラットフォーム（ＳＬＰ）、発展型サービングモバイルロケーションセンター（ｅＳＭＬＣ）、サービングモバイルロケーションセンター（ＳＭＬＣ）、ゲートウェイモバイルロケーションセンター（ＧＭＬＣ）、位置決定エンティティ（ＰＤＥ）、スタンドアロンＳＭＬＣ（ＳＡＳ）、および／または同様のものであってよい。
【００２８】
[0037]図１に示されているように、ＭＳ１２０は、ネットワーク１３０とネットワーク１３０に関連付けられ得るアンテナ１４０とを介してサーバ１５０と通信することができる。ＭＳ１２０は、位置決定のために使用され得る信号をアンテナ１４０から受け取り、測定することができる。たとえば、ＭＳ１２０は、それぞれセル１４５−１、１４５−２、１４５−３および１４５−４に関連付けられ得るアンテナ１４０−１、１４０−２、１４０−３、および／または１４０−４のうちの１つまたは複数から信号を受信し、測定することができる。いくつかの実施形態において、アンテナ１４０は、ワイヤレス広域ネットワーク（ＷＷＡＮ）、ワイヤレスローカルエリアネットワーク（ＷＬＡＮ）、ワイヤレスパーソナルエリアネットワーク（ＷＰＡＮ）などであり得るワイヤレス通信ネットワークの一部を形成することができる。「ネットワーク」および「システム」という用語はしばしば互換的に使用される。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、ロングタームエボリューション（ＬＴＥ）、ＷｉＭａｘ（登録商標）などであってよい。
【００２９】
[0038]ＣＤＭＡネットワークは、ｃｄｍａ２０００、広帯域ＣＤＭＡ（Ｗ−ＣＤＭＡ（登録商標））など、１つまたは複数の無線アクセス技術（ＲＡＴ）を実装し得る。ｃｄｍａ２０００は、ＩＳ−９５、ＩＳ−２０００およびＩＳ−８５６規格を含む。ＴＤＭＡネットワークは、モバイル通信用グローバルシステム（ＧＳＭ（登録商標））、デジタルアドバンストモバイルフォンシステム（Ｄ−ＡＭＰＳ）、または何らかの他のＲＡＴを実装し得る。ＧＳＭ、Ｗ−ＣＤＭＡおよびＬＴＥは、３ＧＰＰによる文書に記載されている。ｃｄｍａ２０００は、「第３世代パートナーシッププロジェクト２」（３ＧＰＰ２）という名称の団体からの文書に記載されている。３ＧＰＰおよび３ＧＰＰ２の文書は、公に入手可能である。ＷＬＡＮは、ＩＥＥＥ８０２．１１ｘネットワークでよく、ＷＰＡＮは、Ｂｌｕｅｔｏｏｔｈ（登録商標）ネットワーク、ＩＥＥＥ８０２．１５ｘネットワーク、または他の何らかの種類のネットワークであってもよい。本技法はまた、ＷＷＡＮ、ＷＬＡＮおよび／またはＷＰＡＮの任意の組合せとともに実装されてもよい。たとえば、アンテナ１４０およびネットワーク１３０は、たとえば、発展型ＵＭＴＳ地上波無線アクセスネットワーク（Ｅ−ＵＴＲＡＮ）（ＬＴＥ）ネットワーク、Ｗ−ＣＤＭＡ  ＵＴＲＡＮネットワーク、ＧＳＭ／ＥＤＧＥ無線アクセスネットワーク（ＧＥＲＡＮ）、１ｘＲＴＴネットワーク、エボリューションデータオプティマイズド（ＥｖＤＯ）ネットワーク、ＷｉＭａｘネットワーク、またはＷＬＡＮの一部を形成することができる。
【００３０】
[0039]ＭＳ１２０は、衛星測位システム（ＳＰＳ）の一部とされ得る、集合的に宇宙ビークル（ＳＶ）１８０と呼ばれる１つまたは複数の地球周回ＳＶ１８０−１または１８０−２から信号を受信することもできる。ＳＶ１８０は、たとえば、米国の全地球測位システム（ＧＰＳ）、欧州のＧａｌｉｌｅｏシステム、ロシアのＧｌｏｎａｓｓシステム、または中国のＣｏｍｐａｓｓもしくはＢｅｉＤｏｕシステムなどの全地球航法衛星システム（ＧＮＳＳ）のコンステレーションに含まれるものとされ得る。特定の態様によると、本明細書に提示された技術は、ＳＰＳのためのグローバルシステム（たとえばＧＮＳＳ）に限定されない。たとえば、本明細書で提示される技法は、たとえば日本上空の準天頂衛星システム（ＱＺＳＳ）、インド上空のインド地域衛星航法システム（ＩＲＮＳＳ）、ならびに／または１つもしくは複数の全地球および／もしくは地域の航法衛星システムに関連付けられるかこれとともに使用されるために他の形で使用可能にされ得る様々な補強システム（たとえば、静止衛星型衛星航法補強システム（ＳＢＡＳ））など、様々な地域システムでの使用に適用されるか他の形でそのために使用可能にされ得る。限定を目的とせずに例を挙げると、ＳＢＡＳは、たとえば、広域補強システム（ＷＡＡＳ：Wide Area Augmentation System）、欧州静止航法オーバレイサービス（ＥＧＮＯＳ：European Geostationary Navigation Overlay Service）、多機能衛星補強システム（ＭＳＡＳ：Multi-functional Satellite Augmentation System）、ＧＰＳ支援Ｇｅｏ補強航法またはＧＰＳおよびＧｅｏ補強航法システム（ＧＡＧＡＮ：GPS Aided Geo Augmented Navigation or GPS and Geo Augmented Navigation system）など、完全性情報、微分補正などを提供する補強システムを含むことができる。したがって、本明細書で使用されるときに、ＳＰＳは、１つまたは複数の全地球のおよび／または地域の航法衛星システムおよび／または補強システムの任意の組合せを含むことができ、ＳＰＳ信号は、ＳＰＳ信号、ＳＰＳ様信号、および／またはそのような１つもしくは複数のＳＰＳに関連する他の信号を含むことができる。
【００３１】
[0040]図２は、ＭＳ１２０のロケーションを決定することができるシステム１７５内のいくつかのエンティティを示す単純化されたブロック図を示す。図２を参照すると、サーバ１５０は、ＭＳ１２０の近似ロケーションおよび／またはロケーション支援データ１７８などのロケーション関連情報をＭＳ１２０に提供することができ、この情報は、ＭＳ１２０が、ＳＶ１８０およびアンテナ１４０から信号を獲得し、測定するのを支援するのに、ならびに／あるいは測定１７２からロケーション推定値１７３を導出または洗練するのに使われ得る。
【００３２】
[0041]ＭＳ１２０は、測定１７２および／またはロケーション推定値１７３を入手するために、基準ソース１７０からの信号を測定することができる。ＭＳ１２０は、アンテナ１４０から、ＳＶ１８０の擬似距離測定および／またはＯＴＤＯＡ関連測定を測定することによって測定１７２を入手することができる。基準ソース１７０は、ＳＶ１８０および／またはネットワーク１３０中のセル１４５に関連付けられたアンテナ１４０からの信号を表すことができる。いくつかの事例では、ＭＳ１２０によってとられたＯＴＤＯＡ関連測定は、ＭＳ１２０についての位置推定値を導出するために、サーバ１５０に送られ得る。たとえば、ＭＳ１２０は、ロケーション推定値１７３または測定１７２（たとえば、１つもしくは複数のＧＮＳＳからの衛星測定または１つもしくは複数のネットワークからのＲＳＴＤなど、様々なネットワーク測定など）などのロケーション関連情報をサーバ１５０に提供することができる。
【００３３】
[0042]いくつかの事例では、ＭＳ１２０は、測定１７２を使うことによってロケーション推定値１７３を取得することもでき、測定１７２は、ＭＳ１２０についての推定位置を導出するための擬似範囲および／またはＯＴＤＯＡ関連測定であってよい。たとえば、ＭＳ１２０は、複数の基地局（ｅノードＢなど）からのダウンリンク無線信号の到着時間の差を、ユーザ／ＭＳ位置を計算するのに使えばよい。たとえば、セル１４５−１からの信号が時間ｔ１に受信され、セル１４５−３からの信号が時間ｔ２に受信された場合、ＯＴＤＯＡまたはＲＳＴＤはｔ２−ｔ１によって与えられる。概して、ｔ２およびｔ１は、到着時間（ＴＯＡ）測定として知られている。
【００３４】
[0043]いくつかの実施形態では、ＭＳ１２０は、セキュアユーザプレーン（ＳＵＰＬ）対応端末（ＳＥＴ）の形をとることができ、サーバ１５０と通信し、ＭＳ１２０についてのロケーション推定値を取得するのにロケーション支援データ１７８を使うことができ、ロケーション推定値は次いで、ＬＣＳクライアント１６０（図２には示さず）に通信されてよい。
【００３５】
[0044]図３Ａは、ＰＲＳ機会をもつ例示的ＬＴＥフレームの構造を示す。図３Ａにおいて、時間はＸ（水平）軸上に示され、周波数はＹ（垂直）軸上に示されている。図３Ａに示すように、ダウンリンクおよびアップリンクＬＴＥ無線フレーム１０は、各々、１０ｍｓの持続時間である。ダウンリンク周波数分割複信（ＦＤＤ）モード用に、無線フレーム１０は、各々が１ｍｓの持続時間の１０個のサブフレーム１２に編成される。各サブフレーム１２は、各々が０．５ｍｓの持続時間である２つのスロット１４を備える。
【００３６】
[0045]周波数領域中で、利用可能帯域幅は、均等間隔直交サブキャリア１６に分割され得る。たとえば、１５ＫＨｚ間隔を使う通常長サイクリックプレフィックス用に、サブキャリア１６は１２個からなるグループにグループ化されてよい。図３Ａにおいて、１２個のサブキャリア１６を備える各グルーピングは、リソースブロックと呼ばれ、上の例において、リソースブロック中のサブキャリアの数は、
【００３７】
【数１】
0006479886.tif 000002
【００３８】
と書くことができる。所与のチャネル帯域幅向けに、送信帯域幅構成２２ともいう、各チャネル２２上の利用可能リソースブロックの数は、
【００３９】
【数２】
0006479886.tif 000003
【００４０】
によって与えられる。たとえば、上記例における３ＭＨｚチャネル帯域幅向けに、各チャネル２２上の利用可能リソースブロックの数は、
【００４１】
【数３】
0006479886.tif 000004
【００４２】
によって与えられる。
【００４３】
[0046]図１を参照すると、いくつかの実施形態では、それぞれ、セル１４５−１〜１４５−４に対応するアンテナ１４０−１〜１４０−４は、測位基準信号（ＰＲＳ）を送信することもできる。ＰＲＳは、３ＧＰＰロングタームエボリューション（ＬＴＥ）リリース９において定義されているが、測位機会にグループ化される特殊な測位サブフレーム内で基地局によって送信される。たとえば、ＬＴＥでは、測位機会ＮPRSは、１つ、２つ、４つ、または６つの連続する測位サブフレームを備えることができ（ＮPRS∈｛１，２，４，６｝）、１６０、３２０、６４０、または１２８０ミリ秒の間隔で定期的に起こる。図３Ａに示す例において、連続する測位サブフレーム１８の数は４であり、ＮPRS＝４と書くことができる。測位機会は、ＰＲＳ周期性２０で繰り返す。図３Ａにおいて、ＰＲＳ周期性２０はＴPRSで示される。いくつかの実施形態では、ＴPRSは、連続する測位機会の開始の間のサブフレームの数によって測定され得る。
【００４４】
[0047]各測位機会内に、ＰＲＳは、一定の電力で送信される。ＰＲＳは、ゼロ電力で（すなわち、ミュートされて）も送信され得る。規則的にスケジューリングされたＰＲＳ送信をオフに切り替えるミュートは、セルの間のＰＲＳパターンがオーバーラップするときに有用である可能性がある。ミュートは、ＭＳ１２０による信号獲得を助ける。ミュートは、特定のセルでの所与の測位機会の間のＰＲＳの非送信と見なされ得る。ミュートパターンは、ビットストリングを使用してＭＳ１２０にシグナリングされ得る。たとえば、ミュートパターンをシグナリングするビットストリング内で、ポジションｊのビットが「０」にセットされる場合には、ＭＳは、ＰＲＳが第ｊの測位機会の間にミュートされると推論することができる。
【００４５】
[0048]ＰＲＳの可聴性をさらに改善するために、測位サブフレームは、ユーザデータチャネルを伴わずに送信される低干渉サブフレームとされ得る。その結果、理想的に同期化されたネットワークでは、ＰＲＳは、同一のＰＲＳパターンインデックスを有する（すなわち、同一の周波数シフトを有する）他のセルＰＲＳからの干渉を受けるが、データ送信からは受けない。たとえば、ＬＴＥでの周波数シフトは、物理セル識別子（ＰＣＩ）の関数と定義され、６という有効周波数再利用係数をもたらす。
【００４６】
[0049]連続する測位サブフレームの個数、周期性、ミュートパターン、その他などのＰＲＳ構成パラメータは、ネットワーク１３０によって構成されてよく、ＯＴＤＯＡ支援データの一部としてＭＳ１２０に（たとえば、サーバ１５０によって）シグナリングされてよい。たとえば、ＭＳ１２０とサーバ１５０との間でのＬＰＰメッセージまたはＬＰＰｅメッセージは、ＯＴＤＯＡ支援データを含むロケーション支援データ１７８を転送するのに使用され得る。ＯＴＤＯＡ支援データは、基準セル情報と隣接セルリストとを含むことができる。基準セルおよび隣接セルリストは、各々、セルのＰＣＩならびにセルのＰＲＳ構成パラメータを含むことができる。
【００４７】
[0050]ＯＴＤＯＡ支援データは、通常、「基準セル」に対する相対的な１つまたは複数の「隣接セル」または「隣接するセル」について提供される。たとえば、ＯＴＤＯＡ支援データは、期待ＲＳＴＤパラメータの不確実性と一緒に、ＭＳがその現在のロケーションで測定すると期待されるＲＳＴＤ値に関する情報をＭＳに提供する「期待ＲＳＴＤ」パラメータを含むことができる。次いで、期待ＲＳＴＤは、不確実性と一緒に、ＭＳがＲＳＴＤ値を測定すると期待される、ＭＳの探索ウィンドウを定義する。ＯＴＤＯＡ支援データ隣接セルリスト内のセルの「期待ＲＳＴＤ」は、通常、ＯＴＤＯＡ支援データ基準セルに対して相対的に提供される。ＯＴＤＯＡ支援情報は、ＭＳが、ＰＲＳ測位機会が様々なセルから受信される信号上で起こるときを決定し、ＴＯＡを測定するために様々なセルから送信されるＰＲＳシーケンスを決定することを可能にする、ＰＲＳ構成情報パラメータも含むことができる。
【００４８】
[0051]図３Ｂは、システムフレーム番号（ＳＦＮ）と、セル固有サブフレームオフセットとＰＲＳ周期性２０との間の関係を示す。一般に、セル固有ＰＲＳサブフレーム構成は、ＯＴＤＯＡ支援データ中に含まれる「ＰＲＳ構成索引」ＩPRSによって定義される。測位基準信号の送信のためのセル固有サブフレーム構成期間およびセル固有サブフレームオフセットは、下のテーブル１に列挙された３ＧＰＰ仕様において、ＩPRSに基づいて定義される。
【００４９】
【表１】
0006479886.tif 000005
【００５０】
[0052]ＰＲＳ構成は、ＰＲＳを送信するセルのシステムフレーム番号（ＳＦＮ）を参照して定義される。ダウンリンクサブフレームの第１のサブフレームについてのＰＲＳ事例は、
【００５１】
【数４】
0006479886.tif 000006
【００５２】
を満足し、上式で、ｎfは、０≦ＳＦＮ≦１０２３のＳＦＮであり、ｎsは、０≦ｎs≦１９の無線フレームのスロット番号であり、ＴPRSはＰＲＳ期間であり、ΔPRSはセル固有サブフレームオフセットである。
【００５３】
[0053]図３Ｂに示すように、セル固有サブフレームオフセットΔPRS５２は、システムフレーム番号０、スロット番号０  ５０から始まり、ＰＲＳ測位機会の開始までの、送信されるサブフレームの数によって定義され得る。図３Ｂにおいて、連続する測位サブフレームの数１８はＮPRS＝４である。
【００５４】
[0054]いくつかの実施形態では、ＭＳ１２０がＯＴＤＯＡ支援データ中でＰＲＳ構成索引ＩPRSを受信したとき、ＭＳ１２０は、テーブル１を使って、ＰＲＳ周期性ＴPRSとＰＲＳサブフレームオフセットΔPRSとを決定してよい。フレームおよびスロットタイミングについての情報、すなわちセル１４５−ｋについてのＳＦＮおよびスロット番号（ｎf，ｎs）を取得すると、ＭＳ１２０は、セル１４５−ｋ中でＰＲＳがスケジュールされるときのフレームとスロットとを決定することができる。ＯＴＤＯＡ支援データは、ロケーションサーバ１５０によって決定され、基準セル、およびいくつかの隣接セル向けの支援データを含む。
【００５５】
[0055]一般に、ネットワーク１３０中のすべてのセル１４５からのＰＲＳ機会が時間整合される。ＳＦＮ同期ネットワークでは、すべての発展型ノードＢ（ｅＮＢ）が、フレーム境界とシステムフレーム番号の両方において整合される。したがって、ＳＦＮ同期ネットワークでは、すべてのセルが同じＰＲＳ構成索引を使う。一方、ＳＦＮ非同期ネットワークでは、すべてのｅＮＢがフレーム境界において整合されるが、システムフレーム番号においては整合されない。したがって、ＳＦＮ非同期ネットワークでは、各セルについてのＰＲＳ構成索引は、ＰＲＳ機会が時間整合するように、ネットワークによって構成される。
【００５６】
[0056]ＭＳ１２０が、支援データセルのうちの少なくとも１つの、セルタイミング（たとえば、ＳＦＮやフレーム番号）を取得することができる場合、ＭＳ１２０は、支援データセルのＰＲＳ機会のタイミングを決定することができる。他の支援データセルのタイミングは次いで、たとえば、異なるセルからのＰＲＳ機会が重複するという仮定に基づいて、ＭＳ１２０によって導出され得る。
【００５７】
[0057]ＭＳ１２０は、ＰＲＳが送信されるフレームとスロットとを算出するために、ＯＴＤＯＡ支援データ中の、基準または隣接セルのうちの１つの、セルタイミング（ＳＦＮ）を取得すればよい。たとえば、ＬＰＰにおいて指定されるように、ＭＳ１２０にサービスするセル（サービングセル）は、サービングセルのＳＦＮが常にＭＳ１２０に知られているので、基準セルとして、または支援データ隣接セルとしてのいずれかで、ＯＴＤＯＡ支援データに含められてよい。
【００５８】
[0058]さらに、上述したように、ＰＲＳは、いくつかのサブフレーム中でミュートされてよい。セルのＰＲＳミューティング構成は、ＬＰＰによって指定されるように、周期性ＴREPをもつ周期的ミューティングシーケンスによって定義され、ここで、ＰＲＳ測位機会の数によってカウントされるＴREPは、２、４、８、または１６であり得る。ＰＲＳミューティングシーケンスの第１のビットは、支援データ基準セルＳＦＮ＝０の開始の後で始まる第１のＰＲＳ測位機会に対応する。ＰＲＳミューティング構成は、（選択されたＴREPに対応する）長さ２、４、８、または１６ビットのビットストリングで表され、このビットストリング中の各ビットは値「０」または「１」を有し得る。ＰＲＳミューティング中のビットが「０」にセットされた場合、ＰＲＳは、対応するＰＲＳ測位機会においてミュートされる。したがって、ＯＴＤＯＡのために、基準セルのセルタイミング（ＳＦＮ）を取得する、ＭＳ１２０によるＰＲＳ測位が円滑にされる。
【００５９】
[0059]従来のシステムでは、ＭＳ１２０によるＰＲＳ測位は、ＯＴＤＯＡ支援データにサービングセルを含めることによって円滑にされる。ただし、従来のシステムでは、いくつかの状況において、サービングセルは、ＯＴＤＯＡ支援データに含めることができず、そうすることによって、ＯＴＤＯＡ  ＰＲＳ測位を妨げる。たとえば、図１において、ＰＲＳは、ネットワーク１３０のマクロセル１４５−１、１４５−３、および１４５−４上でのみ構成されればよい。ネットワークは、セル１４５−２など、１つまたは複数のフェムトセルを含み得る。フェムトセルは一般に、ユーザによって展開されるので、フェムトセルロケーションおよびタイミングは、ロケーションサーバ１５０には詳しく知られていない場合がある。したがって、例示的フェムトセル１４５−２（およびネットワーク１３０中の他の任意のフェムトセル）は、ＯＴＤＯＡ測位に関与しない場合がある。
【００６０】
[0060]さらに、いくつかの状況では、ネットワーク１３０は、いくつかの周波数レイヤからなり得る。たとえば、図１において、マクロセル１４５−１、１４５−３および１４５−４は無線周波数ｆ２において動作することができ、セル１４５−２などのフェムトセルは無線周波数ｆ１において動作することができる。さらに、ＰＲＳは、周波数レイヤｆ２において構成および展開されてもよい。ＭＳ１２０からのサービングセルが、周波数レイヤｆ１に属すフェムトセル１４５−２である場合、すべての支援データセルが周波数レイヤｆ２上にあるので、サービングセルはＯＴＤＯＡ支援データに含めることができない。
【００６１】
[0061]従来のシステムでは、ＭＳ１２０は、ＰＲＳをもつ１４５−１、１４５−３および１４５−４（図１において破線リンクで示される）など、いくつかのマクロセルを受信することが可能な場合がある。ただし、ＭＳ１２０がセルタイミング情報を取得することができる可能性があるマクロセルに関する情報は、ロケーションサーバ１５０にとって利用可能でない。したがって、従来のシステムでは、ロケーションサーバ１５０は、ＭＳ１２０に提供するべき適切なＯＴＤＯＡ支援データを決定および／または選択することができない場合がある。たとえば、従来のシステムでは、上の状況において、ロケーションサーバ１５０は、ＯＴＤＯＡ支援データに基準セルを含め得るが、ＭＳ１２０は、そのセルについてのセルタイミングを取得することができない場合がある。したがって、ＯＴＤＯＡ測位は、過度な時間量がかかる場合があり、および／または失敗する場合がある。概して、ＯＴＤＯＡベースの測位のためのＯＴＤＯＡ支援データを提供するための従来のシステムは、下で概説されるように、いくつかの追加欠点を被る。
【００６２】
[0062]上の例において、隣接セルのＳＦＮを取得するために、ＭＳ１２０は、一次および二次同期信号（ＰＳＳおよびＳＳＳ）を使って隣接セルに同期し、セルの全フレーム中のサブフレーム０において送信されるＭＩＢを復号することによって、その隣接セルの物理ブロードキャストチャネル（ＰＢＣＨ）上で送信されるマスタ情報ブロック（ＭＩＢ）を復号すればよいが、これは、かなりの時間量を消費し得るプロセスである。ＭＳ１２０が実際のＲＳＴＤ測定を実施することが可能になる前に、ＯＴＤＯＡ応答時間がすでに満了している場合、ＭＳ１２０による作業全体が無駄になり得る。
【００６３】
[0063]従来のシステムでは、ＭＳ１２０は、ＭＩＢ復号が成功するであろう隣接セルを事前に決定することができない。したがって、ＭＳ１２０は、どのＯＴＤＯＡ測定（基準信号時間差（ＲＳＴＤ）測定など）を実施するのにも先立って、支援データリスト中の１つのセルについてのタイミング情報を取得するための試みにおいて、支援データ中のいくつかの支援データセルを循環し得る。前述したように、いくつかのセルにわたるＭＩＢ復号プロセスは、過度の時間量がかかる場合があり、および／または失敗する場合がある。
【００６４】
[0064]さらに、ＭＳ１２０が隣接セル測定を実施することができるが、一般に、ＲＲＣ＿ＣＯＮＮＥＣＴＥＤ＿ＳＴＡＴＥ（無線リソース制御接続状態）にあるとき、ＭＳ１２０は隣接セルシステム情報ブロードキャストを読み取ることができない。したがって、ＰＢＣＨ上でＭＩＢを復号するために、ＭＳ１２０は、セル１４５−２などのサービングセルの送信／受信を停止し、ＭＩＢ情報を復号するために隣接セルに同期し始めればよい。
【００６５】
[0065]さらに、上で言及した周波数間の例において、従来のシステムでは、ＭＳ１２０が、（ｉ）サービングセルキャリア上での送信／受信を停止し、（ｉｉ）隣接セルの周波数（ｆ２）に受信機を同調させ、（ｉｉｉ）隣接セルに同期し、（ｉｖ）隣接セルのＭＩＢ情報を復号し、（ｖ）サービングセル周波数（ｆ１）に受信機を再度同調させるので、ＯＴＤＯＡ測位における問題点が複雑になり得る。
【００６６】
[0066]ＭＳ１２０は、サービングセル上での送信／受信を停止しているので、この期間中に基地局（ｅＮＢなど）によって送信されるユーザデータは、データの損失をもたらす場合がある。ただし、測位シグナリングは、基地局にとって透過なやり方でＭＳ１２０とロケーションサーバ１５０との間で起こるので、基地局は、ＯＴＤＯＡ測位要求に気づかない場合があり、データ損失が生じ得る。
【００６７】
[0067]ＭＳ１２０による、サービングセルにおける送信／受信の停止中のデータ損失を避けるために、従来のシステムにおいて、ＭＳ１２０は、サービング基地局に対して「測定ギャップ」を要求すればよい。測定ギャップの間、ＭＳ１２０と基地局との間でデータ送信／受信は起こらない。測定ギャップは一般に、測定（たとえば、ＲＳＴＤ測定）の目的でのみ使われ、持続時間が６ｍｓを超えてはならない。６ｍｓの持続時間は、ＵＥがその周波数を隣接セルキャリアに同調させ、隣接セルに同期するべきＰＳＳとＳＳＳとを探索するのに、およびセルのＳＦＮを含むＭＩＢを読み取るためにＰＢＣＨを復号するのには不十分である。したがって、従来のシステムでは、使用測定ギャップは、ＭＳ１２０が隣接セルのＳＦＮ情報を取得するのに十分ではないであろう。
【００６８】
[0068]測定ギャップは、ＰＲＳ測定を実施し、測定されたセルのセルタイミング情報（たとえば、ＳＦＮ）を取得するためのギャップの使用を防止し得る別の欠点も被る。ＳＦＮを取得するために、たとえば、ＵＥは、全フレームのサブフレーム０中で送信されるＭＩＢを復号すればよい。したがって、隣接セルのＭＩＢは、隣接セルのサブフレーム０がサービングセルの測定ギャップに入った場合、サービングセルの測定ギャップ中に見つけられ得る。測定ギャップは、隣接セルＰＲＳ測定（たとえば、ＲＳＴＤ測定）の実施を円滑にするように配置されるので、測定ギャップは通常、隣接セルのＰＲＳ機会（６サブフレーム長であり得る）と重複する。ただし、サブフレーム０は通常、ＰＲＳを含まず、したがって、どの測定ギャップもサブフレーム０と重複する可能性はない。これは、サブフレーム０中に、ＰＳＳ、ＳＳＳ、およびＰＢＣＨが存在し、ＰＲＳシンボルは通常、そのようなサブフレーム中では送信されず、そうでないと、削減された数のＰＲＳシンボルが、測定用に利用可能になり、測定精度を低下させるからである。ＰＲＳシンボルは、ＰＳＳ、ＳＳＳ、およびＰＢＣＨシンボル中では提供されないので、上記状況において測定精度は低下する。概して、無線フレームは１０個のサブフレームからなり、測定ギャップは６つのサブフレームのみを備えるので、サービングセルの測定ギャップ中に隣接セルのサブフレーム０（ＰＢＣＨを搬送し、ＳＦＮを復号するために使われる）が生じない可能性がある。
【００６９】
[0069]したがって、開示される実施形態は、サービングセルがＯＴＤＯＡ支援データに含められ得ない状況に含める、ＭＳロケーション決定のためのＰＲＳ信号の使用を円滑にする。
【００７０】
[0070]図４は、開示される実施形態と一貫するやり方で、ＯＴＤＯＡ支援データをＭＳ１２０に提供するための例示的方法２００のためのフローチャートを示す。いくつかの実施形態では、方法２００は、ロケーションサーバ１５０によって実施され得る。いくつかの実施形態では、方法２００は、ＯＴＤＯＡ測定に先立つ修正拡張セルＩＤ（Ｅ−ＣＩＤ）コールフロー手順の一部として実装され得る。
【００７１】
[0071]いくつかの実施形態では、ステップ２１０において、ロケーションサーバ１５０は、ＭＳ１２０に対して、１つまたは複数の隣接セルに関する測定を要求し得る。たとえば、要求される測定は、受信信号強度インジケータ（ＲＳＳＩ）、隣接セルについての信号品質測定、測定された隣接セルについてのセルタイミング情報（セルタイミングオフセット情報など）などのような信号強度測定を含み得る。「測定された隣接セル」という用語は、ＭＳ１２０によって測定済みの隣接セルを指すのに使われる。いくつかの実施形態では、ロケーションサーバによって要求されるパラメータは随意に、任意の測定された隣接セルのセルグローバルアイデンティティ（ＣＧＩ）またはＥ−ＵＴＲＡＮセルグローバルアイデンティティ（ＥＣＧＩ）を含み得る。
【００７２】
[0072]ステップ２２０において、ロケーションサーバ１５０は、サービングセルおよび／またはロケーションサーバに対する、少なくとも１つの測定された隣接セルについての測定を受信することができる。受信される測定は、少なくとも１つの測定された隣接セルについてのセルタイミングオフセット情報と、要求される場合は、少なくとも１つの測定された隣接セルのセルグローバルアイデンティティ（ＣＧＩ）またはＥ−ＵＴＲＡＮセルグローバルアイデンティティ（ＥＣＧＩ）とを含み得る。セルタイミングオフセット情報は、サービングセルのＳＦＮと、少なくとも１つの測定された隣接セルおよび／またはロケーションサーバのＳＦＮとの間のオフセットを含み得る。
【００７３】
[0073]たとえば、一実施形態では、ＭＳ１２０は、ロケーションサーバ１５０によって要求された測定を実施し、測定と他のパラメータとをロケーションサーバ１５０に送ることができる。さらに、ＭＳ１２０は、測定された隣接セルに同期し、システム情報ブロードキャストメッセージを読み取ることができる。測定されたセルのＳＦＮは、ＭＳ１２０によって、ＭＩＢを読み取ることによって取得されてよく、ＣＧＩ／ＥＣＧＩは、システム情報ブロックタイプ１（ＳＩＢ１）を読み取ることによって取得されてよい。ＭＳ１２０は次いで、サービングセルと各測定された隣接セルとの間のＳＦＮオフセットを決定することができる。各測定された隣接セルについてのＳＦＮオフセットおよびＣＧＩ／ＥＣＧＩ（要求される場合）は、ロケーションサーバ１５０に報告されてよい。
【００７４】
[0074]いくつかの実施形態では、ＭＳ１２０から測定とパラメータとを受信すると、ロケーションサーバ１５０は、ＭＳ１２０がそれについてのタイミング情報を取得することができる隣接セルを決定することができる。さらに、いくつかの実施形態では、ロケーションサーバ１５０は、ＭＳ１２０用のサービングセルと、隣接セルとの間のＳＦＮオフセットに関する情報を受信することもできる。
【００７５】
[0075]次に、ステップ２３０において、ＯＴＤＯＡ支援データ基準セルと、サービングセルとＯＴＤＯＡ支援データ基準セルとの間のセルタイミングオフセットとを備えるＯＴＤＯＡ支援データが生成され得る。いくつかの実施形態では、ＯＴＤＯＡ支援データ基準セルは、少なくとも１つの測定された隣接セルについての受信されたセルタイミングオフセット情報に基づいて、ロケーションサーバ１５０によって選択されてよい。たとえば、ロケーションサーバ１５０は、ＭＳ１２０がそれについてのタイミング情報を取得することができたＯＴＤＯＡ支援データ向けの基準セルを選択すればよい。いくつかの実施形態では、ロケーションサーバ１５０は、タイミング情報（たとえば、ＳＦＮ）も含む、最も強いＲＳＳＩ、基準信号受信電力（ＲＳＲＰ）および／または基準信号受信品質（ＲＳＲＱ）（ステップ５１１においてＭＳによって測定／報告される）をもつ、測定された隣接セルを、基準セルとして選択すればよい。
【００７６】
[0076]ステップ２４０において、ロケーションサーバ１５０は、ＯＴＤＯＡ支援データをＭＳ１２０に送ってよい。ＯＴＤＯＡ支援データは、ＭＳ１２０用のサービングセルとＯＴＤＯＡ支援データ基準セルとの間のＳＦＮオフセットを含み得る。いくつかの実施形態では、ＯＴＤＯＡ支援データは、ＭＳ１２０によって、ＯＴＤＯＡ測定についての要求とともに送られ得る。
【００７７】
[0077]図５は、開示される実施形態と一貫するやり方で、隣接セルについてのセルタイミング情報（ＳＦＮ）を取得し、ＯＴＤＯＡ測定を実施するための例示的方法３００のためのフローチャートを示す。いくつかの実施形態では、方法３００は、ＭＳ１２０によって実施され得る。
【００７８】
[0078]いくつかの実施形態では、ステップ３１０において、ＭＳ１２０は、基地局に対してアイドル期間を要求することができる。いくつかの実施形態では、アイドル期間についての要求は、間欠受信（ＤＲＸ）が所望されるかどうかの指示、または自律ギャップを使うための要求を含み得る。たとえば、ＭＳ１２０は、適切なＤＲＸ構成、または自律ギャップを使うための許可を、サービング基地局に対して要求し得る。自律ギャップは、ＭＳ１２０が基地局との受信と送信とをサスペンドすることができる期間を指す。間欠受信（ＤＲＸ）は、データ転送が起こるフェーズについてＭＳ１２０と基地局が交渉することができるプロトコルである。
【００７９】
[0079]いくつかの実施形態では、アイドル期間は、ＭＳ１２０によって、１つまたは複数の隣接セルについてのセルタイミング情報および／またはＣＧＩを取得するのに使われ得る。いくつかの実施形態では、アイドル期間についての要求は、１つまたは複数の隣接セルに関する測定についての、ＭＳ１２０によって受信された要求に応答して、ＭＳ１２０によって行われ得る。いくつかの実施形態では、ＭＳ１２０によって受信された、１つまたは複数の隣接セルに関する測定についての要求は、ロケーションサーバ１５０によって開始されてよく、測定されたセルのセルタイミング（たとえば、ＳＦＮ）を取得するための要求を備えることができ、測定された隣接セルのＣＧＩ／ＥＣＧＩを報告するための要求も含み得る。
【００８０】
[0080]いくつかの実施形態では、サービング基地局は、ＲＲＣ接続再構成メッセージを送ることによって、ＭＳ１２０に対する要求に応答してＤＲＸを構成することができる。
【００８１】
[0081]ステップ３２０において、ＭＳ１２０は、アイドル期間が構成済みであるという確認を受信し得る。いくつかの実施形態では、確認は、適切なＤＲＸ構成、またはＭＳ１２０において自律ギャップが許可されるという指示の形をとり得る。ＤＲＸ機能性は、ＭＳ１２０がダウンリンクチャネルを監視する必要が常にあるとは限らないように、ＲＲＣ＿ＣＯＮＮＥＣＴＥＤ状態においてＭＳ１２０用に構成され得る。ＤＲＸサイクルは、ＭＳ１２０がダウンリンクチャネルをその間に監視する「オン持続時間」と、ＭＳ１２０がダウンリンクチャネルの受信をその間にスキップしてよい「ＤＲＸ期間」とを備え得る。
【００８２】
[0082]自律ギャップを用いて、ＭＳ１２０は、隣接セルの、ＭＩＢと、可能性としてはＳＩＢ１とを読み取るためのアイドル期間を単独で作成することができる。ただし、自律ギャップは、ターゲットデバイスによって作成されたアイドル期間中にターゲットデバイスにデータを基地局が送信する場合、データの損失をもたらす可能性がある。したがって、いくつかの実施形態では、ＭＳ１２０は、ロケーションサーバ１５０に対する測定要求を満たすために、自律ギャップを使用していることを、サービング基地局に知らせてよい。したがって、いくつかの実施形態では、サービング基地局は、自律ギャップ中、デバイス用にデータをスケジュールすることができない。いくつかの実施形態では、自律ギャップ中のＭＳ１２０へのどの送信のデータレートも低下する可能性があり、そうすることによって、どのデータ損失も制限される。たとえば、自律ギャップ中に失われるサブフレームの数は比較的小さくてよいので、中断は、サービング基地局には単にフェージング／チャネルエラーとして見える場合がある。したがって、自律ギャップを用いると、ボイスオーバーインターネットプロトコル（ＶｏＩＰ）サービスに対するどのＱｏＳ衝撃も最小限になり得る。サービング基地局は、自律ギャップを許可する場合、ＭＳ１２０が自律ギャップを使ってよいという確認をＭＳ１２０に送る。いくつかの実施形態では、ＭＳ１２０によって自律ギャップが使われ得るという確認はまた、自律ギャップが許可される時間ウィンドウと、自律ギャップに対して許可される最大数サブフレームとを含み得る。
【００８３】
[0083]次に、ステップ３３０において、ＭＳ１２０は、１つまたは複数の隣接セルについて、要求された測定を実施することができる。たとえば、「ＤＲＸ期間」中、ＭＳ１２０はアイドル期間を有してよく、アイドル期間中、ＭＳ１２０は、隣接セルを求めて探索し、ＳＦＮを取得するためのＭＩＢ情報を復号することができる。いくつかの実施形態では、ＭＳ１２０は、要求される場合、ＣＧＩ／ＥＣＧＩを取得するために、アイドル期間中にＳＩＢ１を復号することもできる。
【００８４】
[0084]ステップ３４０において、ＭＳ１２０は、１つまたは複数の隣接セルについての測定と、対応するセルタイミングオフセットとをロケーションサーバに送ることができる。セルタイミングオフセットは、サービングセルのＳＦＮと測定された隣接セルのＳＦＮとの間のオフセットを備え得る。いくつかの実施形態では、ＭＳ１２０は、ＣＧＩ／ＥＣＧＩの測定が要求された場合、測定された隣接セルのＣＧＩ／ＥＣＧＩを送ることもできる。
【００８５】
[0085]図６は、支援データセルがＭＳのサービングセル１２０を含まない支援データセルのＰＲＳ機会を決定するための例示的方法４００のためのフローチャートを示す。
【００８６】
[0086]ステップ４１０において、ＭＳ４１０は、ロケーションサーバ１５０からのＯＴＤＯＡ支援データと、ＯＴＤＯＡ測定についての要求とを受信し得る。いくつかの実施形態では、ＯＴＤＯＡ支援データは、ＭＳサービングセルとＯＴＤＯＡ支援データ基準セルとの間のＳＦＮオフセットを含み得る。いくつかの実施形態では、ＯＴＤＯＡ支援データは、例示的方法２００を使って、ロケーションサーバ１５０において生成済みであり得る。
【００８７】
[0087]次に、ステップ４２０において、ＭＳ１２０は、そのサービングセルのＳＦＮ（ＭＳ１２０には従来既知である）と、ＯＴＤＯＡ支援データ基準セルのＳＦＮオフセットとを、ＯＴＤＯＡ支援データ基準セルのＳＦＮを決定するのに使うことができる。
【００８８】
[0088]ステップ４３０において、ＭＳ１２０は、ＯＴＤＯＡ支援データ基準セルの取得されたＳＦＮを、ダウンリンクにおいてＰＲＳがスケジュールされるサブフレームを決定するのに使うことができる。いくつかの実施形態では、ＭＳ１２０は、支援データ基準セルのＳＦＮおよびＯＴＤＯＡ支援データ中に含まれ得るＰＲＳ情報に基づいて、隣接セルのＰＲＳ機会を決定することができる。
【００８９】
[0089]図７は、開示される実施形態と一貫するやり方で、ＯＴＤＯＡ支援データの決定と転送とをサポートする手順の例示的メッセージフロー５００を示す。いくつかの実施形態では、メッセージフロー５００は、ＬＰＰまたはＬＰＰｅプロトコルを使って実装され得る。例示のために、メッセージフローはＬＰＰメッセージとして記載されている。
【００９０】
[0090]ステップ５０１において、発展型サービングモバイルロケーションセンター（Ｅ−ＳＭＬＣ）５５０の形をとり得るロケーションサーバ１５０は、ＭＳ１２０のロケーションについての要求を、図７では移動性管理エンティティ５６０として示されているＬＣＳクライアント１６０から受信し得る。たとえば、ＭＳ１２０のロケーションについての要求は、ＬＣＳアプリケーションプロトコル（ＬＣＳ−ＡＰ）ロケーション要求メッセージの形をとることができ、ＭＳ１２０のサービングセルのＥＣＧＩを含み得る。
【００９１】
[0091]ステップ５０２において、Ｅ−ＳＭＬＣ５５０は、例示的セル１４５−２などのＭＳサービングセルが、ＯＴＤＯＡ測位手順に関与することができない場合があると決定することができる。たとえば、サービングセル１４５−２はＰＲＳを送信することができない。別の例として、サービングセル１４５−２がフェムトセルの形をとり得る事例では、サービングセル１４５−２は、ロケーションサーバに知られていない場合がある。
【００９２】
[0092]したがって、ステップ５０３ａにおいて、Ｅ−ＳＭＬＣ５５０は、ステップ５０３ａにおいてＬＰＰ／ＬＰＰｅ能力要求メッセージをＭＳ１２０に送ることによって、ＭＳ１２０の測位関連能力を取得することができる。能力要求メッセージは、ＭＳ１２０のＬＰＰ／ＬＰＰｅ能力を要求する。
【００９３】
[0093]ＭＳ１２０は、メッセージフローのステップ５０３ｂにおいてＥ−ＳＭＬＣ５５０に送られるＬＰＰ／ＬＰＰｅ能力提供メッセージを用いて応答することができる。説明した実施形態のいくつかの態様では、ステップ５０３ａにおいて能力要求メッセージが送信されることがない場合に、ステップ５０３ｂにおいて、ＬＰＰ／ＬＰＰｅ能力提供メッセージが、送信請求されることなくＭＳ１２０によって与えられてよい。別の実施形態では、ステップ５０３ｂの能力提供メッセージは、支援データの要求に関連して、ＭＳ１２０によって送られ得る。能力提供メッセージは、他のパラメータの中でも、ＭＳ  ＯＴＤＯＡおよび拡張セルＩＤ（ＥＣＩＤ）能力の指示を含む。ＥＣＩＤをサポートするための能力は、ＭＳ１２０が隣接セルのセルタイミングを測定すること、および測定されたセルのＣＧＩ／ＥＣＧＩを取得することが可能であるかどうかについての情報も含む。ＥＣＩＤをサポートするための能力は、ＭＳ１２０が測定を実施すること、および周波数間隣接セルのセルタイミングとＥＣＧＩとを取得することが可能であるかどうかについての情報も含むことができ、ここで「周波数間」とは、ＭＳサービングセル周波数とは異なる周波数を指す。
【００９４】
[0094]ステップ５０３ａおよび５０３ｂと同様であるが反対方向でのメッセージ転送を伴うステップが、ＯＴＤＯＡおよびＥＣＩＤ能力のサポートに関してＥ−ＳＭＬＣ５５０のＬＰＰ／ＬＰＰｅ能力をＭＳ１２０に転送するために、ステップ５０３ａおよび５０３ｂの代わりに、またはステップ５０３ａおよび５０３ｂに加えて実施され得る。これらのステップは、図７には示されておらず、使用される場合には、反転ＬＰＰｅモードを利用することができ、これによって、ＭＳ１２０は、Ｅ−ＳＭＬＣ５５０に能力を要求し、サーバ１５０から能力を受信することを可能にされる。
【００９５】
[0095]ステップ５０４において、ＭＳ１２０が、測定されたセルのセルタイミングおよび／またはＥＣＧＩを取得することが可能である場合、Ｅ−ＳＭＬＣ５５０は、ＬＰＰ  ＥＣＩＤロケーション情報要求メッセージをＭＳ１２０に送ることができる。ＬＰＰ  ＥＣＩＤロケーション情報要求メッセージは、基準信号受信電力（ＲＳＲＰ）、基準信号受信品質（ＲＳＲＱ）測定など、要求される測定のリスト、ＵＥサービングセルと測定されたセルとの間のセルタイミングオフセット（ＳＦＮオフセット）を報告するための要求、測定されたセルのＥＣＧＩを報告するための要求、測定が要求される周波数リストとともに周波数間測定を実施するための要求、および／またはこの要求がＯＴＤＯＡ測位手順の一部であるという指示、もしくはＯＴＤＯＡロケーション要求が後に続くという指示のうちの１つまたは複数を含み得る。
【００９６】
[0096]ステップ５０５において、ＭＳ１２０は、隣接セルのセルタイミング（ＳＦＮ）および／またはＥＣＧＩを取得するためにアイドル期間を使うと決定してよい。したがって、ステップ５０６において、ＭＳ１２０は、アイドル期間についての要求をサービング基地局ｅＮＢ５３０に送ってよい。いくつかの実施形態では、アイドル期間についての要求は、ＵＥが不活動期間中にＭＩＢおよび／またはＳＩＢ１を読み取ることができるように、サービングｅＮＢ５３０が適切なＤＲＸを構成するための要求を含み得るか、あるいはＭＳ１２０において自律ギャップを使うための要求を含み得る。いくつかの実施形態では、アイドル期間についての要求は、アイドル期間についての所望の長さを含んでよく、この長さは、サービングｅＮＢ５３０によって、適切なＤＲＸ期間を構成するのに使われ得る。いくつかの実施形態では、アイドル期間についての要求は、ＭＳ１２０が、ＭＩＢ情報のみ（たとえば、ＳＦＮ）を復号するため、またはＭＩＢとシステム情報ブロック１（ＳＩＢ１）情報（たとえば、ＳＦＮとＥＣＧＩ）の両方を復号するためのアイドル期間を要求するかどうかの指示を含み得る。
【００９７】
[0097]ステップ５０７において、サービングｅＮＢ５３０はＤＲＸパラメータを構成することができる。ステップ５０８において、サービングｅＮＢ５３０はＤＲＸ設定をＭＳ１２０に提供すればよい。いくつかの実施形態では、ｅＮＢ５３０は、ＲＲＣ接続再構成メッセージを使ってアイドル期間を提供してよい。代替として、ステップ５０８において、ｅＮＢ５３０が、ＭＳ１２０が自律ギャップを使うことを許可する場合、ｅＮＢ５３０は、自律ギャップが許可されることをＭＳ１２０に知らせてよい。いくつかの実施形態では、ｅＮＢ５３０は、許可される自律ギャップの最大長、および／またはＵＥが自律ギャップを作成することを許可される全体的最大時間についての情報も含み得る。たとえば、ｅＮＢ５３０は、ＭＳ１２０が自律ギャップを次の８０ｍｓの間使うことを許可してもよく、ＭＳ１２０が自律ギャップを、特定のＳＦＮにおいて始まる次の８０ｍｓの間使うことを許可してもよい。アイドル期間／自律ギャップの長さは、ステップ５０６におけるＭＳに対する要求に依存し得る。アイドル期間についての要求がＭＩＢのみを復号するためである場合、ＭＩＢが通常、４０ｍｓおきに繰り返されるので、自律ギャップは比較的短くてよい（たとえば、４０ｍｓ）。アイドル期間についての要求がＳＩＢ１を復号するためである場合、ＳＩＢ１は通常、８０ｍｓおきに繰り返されるので、自律ギャップは比較的長くてよい（たとえば、８０ｍｓ）。ｅＮＢ５３０は、ＭＳ１２０が、たとえば総持続時間が５秒の自律ギャップを作成することを許可してもよく、ここで各自律ギャップは、たとえば、長さが最大でも８０ｍｓであり、ギャップの間に１００ｍｓの隔たりがある。これにより、ＭＳは、いくつかの隣接セルについて、ＭＩＢと、おそらくＳＩＢ１とを復号することが許可され得る。上に挙げたタイミング情報は例にすぎない。概して、アイドル期間／自律ギャップの長さは、システムパラメータに従って設定され、および／または変えられ得る。
【００９８】
[0098]ステップ５０９において、ＭＳ１２０は、アイドル期間中にステップ５０４において要求された測定を実施することができる。ステップ５１０において、要求された測定を完了した後、ＭＳ１２０は、さらなるアイドル期間は必要とせず、および／または自律ギャップを使わないことを、ｅＮＢ５３０に知らせる。
【００９９】
[0099]ステップ５１１において、ＭＳ１２０は、ＬＰＰ  ＥＣＩＤロケーション情報提供メッセージ中で測定をＥ−ＳＭＬＣ５５０に報告すればよい。いくつかの実施形態では、ＬＰＰ  ＥＣＩＤロケーション情報提供メッセージは、ＳＦＮオフセット（すなわち、ＭＳ１２０用のサービングセル１４５−２と各測定された隣接セルとの間のＳＦＮオフセット）と、測定された隣接セルのＥＣＧＩとを含み得る。
【０１００】
[00100]ステップ５１２において、Ｅ−ＳＭＬＣは、ＯＴＤＯＡ測位のための支援データを提供するのに十分な情報を有し得る。具体的には、Ｅ−ＳＭＬＣ５５０は、ＵＥがそれについてタイミング情報を取得することができるセル１４５に関する情報を有し得る。さらに、Ｅ−ＳＭＬＣ５５０は、ＭＳ１２０用のサービングセルと１つまたは複数の隣接セルとの間のＳＦＮオフセットに関する情報も有し得る。ステップ５１２において、Ｅ−ＳＭＬＣ５５０は、測定された隣接セルのうちの１つを、ＯＴＤＯＡ支援データ用の基準セルとして選択すればよい。たとえば、Ｅ−ＳＭＬＣ５５０は、タイミング情報（ＳＦＮ）ならびに最も強いＲＳＳＩ、ＲＳＲＰおよび／またはＲＳＲＱ（ステップ５１１においてＭＳによって測定／報告された）をもつ、測定された隣接セルを基準セルとして選択すればよい。さらに、Ｅ−ＳＭＬＣ５５０は、測定された隣接セルの中からＯＴＤＯＡ支援データ隣接セルを選択してもよい。メッセージフロー５００において、サービングセル１４５−２はＯＴＤＯＡ測位に関与することができない（ステップ５０２において決定されたように）ので、ステップ５１２においてＭＳ１２０に提供されるＯＴＤＯＡ支援データセルのうちのどれもＭＳサービングセル１４５−２を含まない。
【０１０１】
[00101]ステップ５１３において、Ｅ−ＳＭＬＣ５５０はＯＴＤＯＡ支援データをＭＳ１２０に送ればよい。いくつかの実施形態では、ＯＴＤＯＡ支援データは、基準セル情報（セルＩＤ、ＥＡＲＦＣＮ、ＰＲＳ情報など）と、ＭＳサービングセルとこの基準セル（ステップ５１１において決定された）との間のＳＦＮオフセットと、隣接セル情報（セルＩＤ、ＥＡＲＦＣＮ、ＰＲＳ情報など）とを含み得る。
【０１０２】
[00102]次に、ステップ５１４において、ロケーションサーバはＯＴＤＯＡ測定を要求し得る。ステップ５１５において、ＭＳ１２０は、支援データ基準セルのＳＦＮを決定するのに、サービングセルのＳＦＮ（ＭＳ１２０に従来既知である）と、提供されたＳＦＮオフセットとを使う。基準セルのＳＦＮにより、ＭＳ１２０は、ＯＴＤＯＡ測定のためにいつＰＲＳ機会が起こるか決定することができる。ＭＳ１２０は次いで、ＯＴＤＯＡ測定を実施し、ステップ５１６において、ＬＰＰ  ＯＴＤＯＡロケーション情報提供メッセージ中でＥ−ＳＭＬＣ５５０に測定を報告すればよい。たとえば、ＭＳ１２０は、ステップ５１３において受信されたＯＴＤＯＡ支援データに基づいて、ＯＴＤＯＡ基準セルと複数の隣接セルとの間のＲＳＴＤを測定することができる。
【０１０３】
[00103]ステップ５１７において、Ｅ−ＳＭＬＣ５５０は、ＭＳ１２０のロケーションを算出するのに、提供されたＯＴＤＯＡ測定を使ってよい。Ｅ−ＳＭＬＣ５５０は次いで、ＭＳ１２０のロケーションを、ＬＣＳ−ＡＰロケーション報告メッセージ中でＭＭＥ５６０に報告する得る。
【０１０４】
[00104]図８は、開示される実施形態と一貫するやり方で、非サービングセルについてのＯＴＤＯＡ支援情報を使ってＯＴＤＯＡ測定をサポートするように対応したＭＳ１２０のいくつかの例示的特徴を示す概略ブロック図を示す。ＭＳ１２０は、たとえば、非一時的コンピュータ可読媒体６２０およびメモリ６０４への１つまたは複数の接続６０６（たとえば、バス、信号線、ファイバ、リンクなど）と動作可能に結合され得る、１つまたは複数の処理ユニット６０２と、メモリ６０４と、トランシーバ６１０（たとえば、ワイヤレスネットワークインターフェース）と、（適用可能な場合は）ＳＰＳ受信機６４０とを含むことができる。いくつかの例示的な実装態様では、ＭＳ１２０の全部または一部は、チップセットなどの形をとることができる。ＳＰＳ受信機６４０は、１つまたは複数のＳＰＳリソースに関連する信号を受信することが可能であり得る。たとえば、トランシーバ６１０は、１つまたは複数の種類のワイヤレス通信ネットワークにわたって１つまたは複数の信号を送信することが可能である送信機６１２と、１つまたは複数の種類のワイヤレス通信ネットワークにわたって送信される１つまたは複数の信号を受信するための受信機６１４とを含み得る。
【０１０５】
[00105]処理ユニット６０２は、ハードウェアとファームウェアとソフトウェアとの組合せを使用して実装され得る。いくつかの実施形態では、処理ユニット６０２はＭＳ  ＯＴＤＯＡ支援データモジュール６１６を含むことができ、モジュール６１６は、非サービングセルについてのＯＴＤＯＡ支援情報を含む、受信されたＯＴＤＯＡ支援情報を処理し、方法４００およびメッセージフロー５００のいくつかの部分を実施することができる。たとえば、ＭＳ  ＯＴＤＯＡ支援データモジュール６１６は、基準セル情報（セルＩＤ、ＥＡＲＦＣＮ、ＰＲＳ情報など）と、ＭＳサービングセルとこの基準セル（ステップ５１１において決定された）との間のＳＦＮオフセットと、隣接セル情報（セルＩＤ、ＥＡＲＦＣＮ、ＰＲＳ情報など）とを備えるＯＴＤＯＡ支援情報を処理することができる。さらに、ＭＳ  ＯＴＤＯＡ支援データモジュール６１６は、ＭＳ１２０にサービスするセルがＯＴＤＯＡ測位プロセスに関与することができないとき、ＯＴＤＯＡ測定を円滑にするために、アイドル期間または自律ギャップについての要求を生成し、基地局／ｅＮＢ５３０から受信されたアイドル期間または自律ギャップ構成メッセージを処理するように構成され得る。いくつかの実施形態では、処理ユニット６０２は、ＭＳ１２０の動作に関係するデータ信号コンピューティング手順またはプロセスの少なくとも一部を実施するように構成可能な１つまたは複数の回路を表すことができる。
【０１０６】
[00106]いくつかの実施形態では、ＭＳ１２０は、内部でも外部でもよい１つまたは複数のＭＳアンテナ（図示せず）を含むことができる。ＭＳアンテナは、トランシーバ６１０および／またはＳＰＳ受信機６４０によって処理される信号を送信および／または受信するのに使用され得る。いくつかの実施形態では、ＭＳアンテナは、トランシーバ６１０およびＳＰＳ受信機６４０に結合され得る。いくつかの実施形態では、ＭＳ１２０によって受信された（送信された）信号の測定は、ＭＳアンテナとトランシーバ６１０との接続の点において実施され得る。たとえば、受信された（送信された）ＲＦ信号測定の基準の測定点は、受信機６１４（送信機６１２）の入力（出力）端子、およびＭＳアンテナの出力（入力）端子であってよい。複数のＭＳアンテナまたはアンテナアレイを有するＭＳ１２０では、アンテナコネクタは、複数のＭＳアンテナの集計出力（入力）を表す仮想点と見なされ得る。いくつかの実施形態で、ＭＳ１２０は、信号強度とＴＯＡ測定とを含む受信信号を測定することができ、生の測定は、処理ユニット６０２によって処理され得る。
【０１０７】
[00107]本明細書で説明された方法は、用途に依存して様々な手段によって実装され得る。たとえば、これらの方法は、ハードウェア、ファームウェア、ソフトウェア、またはそれらの任意の組合せで実装され得る。ハードウェア実装の場合、処理ユニット６０２は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実施するように設計された他の電子ユニット、またはそれらの組合せの中で実装され得る。
【０１０８】
[00108]ファームウェアおよび/またはソフトウェア実装形態の場合、本方法は、本明細書に記載の機能を実施するモジュール(たとえば、手順、機能など)で実装され得る。命令を有形に具現化する任意の機械可読媒体は、本明細書に記載の方法を実装する際に使用され得る。たとえば、ソフトウェアコードが、処理ユニット６０２に接続され、処理ユニット６０２によって実行される非一時的コンピュータ可読媒体６２０またはメモリ６０４の中に記憶され得る。メモリは、プロセッサユニット内、またはプロセッサユニットの外部に実装され得る。本明細書で使用されるときに、「メモリ」という用語は、すべてのタイプの長期、短期、揮発性、不揮発性、または他のメモリを指し、メモリの特定のタイプ、メモリの個数、またはメモリがそれに記憶される媒体のタイプに限定されてはならない。
【０１０９】
[00109]ファームウェアおよび／またはソフトウェアで実装される場合、機能は、媒体６２０および／またはメモリ６０４などの非一時的コンピュータ可読媒体上で１つまたは複数の命令またはプログラムコード６０８として記憶され得る。例としては、データ構造で符号化されたコンピュータ可読媒体、およびコンピュータプログラム６０８で符号化されたコンピュータ可読媒体がある。たとえば、その上に記憶されたプログラムコード６０８を含む非一時的コンピュータ可読媒体は、開示される実施形態と一貫する形で、非サービングセルについてのＯＴＤＯＡ支援情報を使用するＯＴＤＯＡ測定をサポートするプログラムコード６０８を含むことができる。非一時的コンピュータ可読媒体６２０は、物理的なコンピュータ記憶媒体を含む。記憶媒体は、コンピュータによってアクセスされ得る、任意の利用可能な媒体であってよい。限定ではなく、例として、そのような非一時的コンピュータ可読媒体は、ＲＡＭ、ＲＯＭ、ＥＥＰＲＯＭ（登録商標）、ＣＤ−ＲＯＭもしくは他の光ディスク（disk）ストレージ、磁気ディスク（disk）ストレージもしくは他の磁気ストレージデバイス、または、命令もしくはデータ構造の形で所望のプログラムコード６０８を記憶するために使用され、コンピュータによってアクセスされ得る任意の他の媒体を備えてよく、本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上述の組合せもコンピュータ可読媒体の範囲内に含まれるべきである。
【０１１０】
[00110]コンピュータ可読媒体６２０上での記憶に加えて、命令および／またはデータは、通信装置内に含まれる伝送媒体上の信号として提供され得る。たとえば、通信装置は、命令とデータとを示す信号を有するトランシーバ６１０を含むことができる。命令およびデータは、１つまたは複数のプロセッサに、特許請求の範囲において概説される機能を実装させるように構成されている。すなわち、通信装置は、開示した機能を実施するための情報を示す信号をもつ伝送媒体を含む。
【０１１１】
[00111]メモリ６０４は、任意のデータ記憶機構を表し得る。たとえば、メモリ６０４は、一次メモリおよび／または二次メモリを含み得る。たとえば、一次メモリは、ランダムアクセスメモリ、読取り専用メモリなどを含み得る。この例では処理ユニット６０２とは別個として示されているが、一次メモリの全部または一部が、処理ユニット６０２内に設けられ、または場合によっては処理ユニット６０２と共設／結合され得ることを理解されたい。二次メモリは、たとえば、一次メモリと同一のもしくは類似するタイプのメモリおよび／または、たとえば、ディスク（disk）ドライブ、光ディスク（disc）ドライブ、テープドライブ、ソリッドステートメモリドライブ、その他など、１つもしくは複数のデータストレージデバイスもしくはデータストレージシステムを含むことができる。
【０１１２】
[00112]いくつかの実装形態では、二次メモリは、非一時的コンピュータ可読媒体６２０を動作可能に受容するか、または場合によってはそれに結合するように構成され得る。したがって、いくつかの例示的な実装形態では、本明細書で提示される方法および／または装置は、その上に記憶されるコンピュータ実施可能命令６０８を含むことができるコンピュータ可読媒体６２０の全部または一部の形をとり、少なくとも１つの処理ユニット６０２によって実行されると、本明細書で説明するように例示的な動作の全部または部分を実行することが実効的に可能である。コンピュータ可読媒体６２０は、メモリ６０４の一部であってよい。
【０１１３】
[00113]ここで図９を参照すると、この図は、開示される実施形態と一貫するやり方で、非サービングセルについてのＯＴＤＯＡ支援情報を使ってＯＴＤＯＡ測定をサポートすることが可能なサーバ１５０を示す概略ブロック図である。いくつかの実施形態では、サーバ１５０は、ロケーションサーバ１５０および／またはＥ−ＳＭＬＣ５５０の機能を実施することができる。いくつかの実施形態では、サーバ１５０は、たとえば、１つまたは複数の接続６５６（たとえば、バス、信号線、ファイバ、リンクなど）を用いて動作可能に結合され得る、１つまたは複数の処理ユニット６５２、メモリ６５４、ストレージ６６０、および（適用可能な場合は）通信インターフェース６９０（たとえば、ワイヤラインまたはワイヤレスのネットワークインターフェース）を含むことができる。いくつかの例示的な実装態様では、サーバ１５０のいくつかの部分が、チップセットなどの形をとることができる。
【０１１４】
[00114]通信インターフェース６９０は、ワイヤード送信および／または受信をサポートし、望まれる場合は、追加または代替的に、１つまたは複数のタイプのワイヤレス通信ネットワークを介する１つまたは複数の信号の送信と受信とをサポートすることができる、様々なワイヤード接続とワイヤレス接続とを含むことができる。通信インターフェース６９０は、様々な他のコンピュータおよび周辺機器との通信のためのインターフェースも含むことができる。たとえば、一実施形態では、通信インターフェース６９０は、ネットワークインターフェースカード、入出力カード、チップ、および／またはサーバ１５０によって実施される通信機能のうちの１つまたは複数を実装するＡＳＩＣを備えることができる。いくつかの実施形態では、通信インターフェース６９０は、ＰＣＩ、構成されたＰＲＳ情報、および／またはネットワーク内の基地局によって使用されるタイミング情報などの様々なネットワーク構成関連情報を入手するために、ネットワーク１３０とインターフェースすることもできる。たとえば、通信インターフェース６９０は、ＰＣＩ、構成されたＰＲＳ、タイミング、および／またはネットワーク１３０内の基地局からの他の情報を入手するために、３ＧＰＰ  ＴＳ  ３６．４５５で定義されたＬＰＰ  ａｎｎｅｘ（ＬＰＰａ）プロトコルまたはこのプロトコルの変形を利用することができる。処理ユニット６５２は、開示される実施形態と一貫する形でＯＴＤＯＡ支援データ情報を生成するために、受信された情報の一部または全部を使用することができる。
【０１１５】
[00115]処理ユニット６５２は、ハードウェアとファームウェアとソフトウェアとの組合せを使用して実装され得る。いくつかの実施形態では、処理ユニット６５２は、サーバＯＴＤＯＡ支援データモジュール６６６を含むことができ、モジュール６６６は、非サービングセルについてのＯＴＤＯＡ支援情報を含むＯＴＤＯＡ支援情報を生成し、ＭＳ１２０によって実施されたＯＴＤＯＡ測定に基づいてＭＳ１２０のロケーションを計算する、などのことができる。いくつかの実施形態では、処理ユニット６５２は、ロングタームエボリューション（ＬＴＥ）測位プロトコル（ＬＰＰ）メッセージまたはＬＰＰ拡張（ＬＰＰｅ）メッセージとしてＯＴＤＯＡ支援情報を生成することができる。いくつかの実施形態では、処理ユニット６５２は、サーバ１５０の動作に関係するデータ信号コンピューティング手順またはプロセスの少なくとも一部を実施するように構成可能な１つまたは複数の回路を表すことができる。
【０１１６】
[00116]フローチャートおよびメッセージフローにおける本明細書で説明する方法は、適用例に応じて様々な手段によって実装され得る。たとえば、これらの方法は、ハードウェア、ファームウェア、ソフトウェア、またはそれらの任意の組合せで実装され得る。ハードウェア実装の場合、処理ユニット６５２は、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明した機能を実行するように設計された他の電子ユニット、またはそれらの組合せの中で実装され得る。
【０１１７】
[00117]ファームウェアおよび/またはソフトウェア実装形態の場合、本方法は、本明細書に記載の機能を実施するモジュール(たとえば、手順、機能など)で実装され得る。本明細書で説明された方法を実装する際に、命令を明確に具体化する任意の機械可読媒体が使用され得る。たとえば、ソフトウェアは取外し可能メディアドライブ６７０において記憶されてよく、ドライブ６７０は、取外し可能媒体を含む非一時的コンピュータ可読媒体６５８の使用をサポートし得る。プログラムコードは、非一時的コンピュータ可読媒体６５８またはメモリ６５４上に常駐してよく、処理ユニット６５２によって読み取られ、実行され得る。メモリは、処理ユニット６５２内または処理ユニット６５２の外部に実装され得る。本明細書で使用する場合、「メモリ」という用語は任意のタイプの長期的、短期的、揮発性、不揮発性、または他のメモリを表すものであり、特定のタイプのメモリ、またはメモリの数、メモリが格納される媒体のタイプに制限されるものではない。
【０１１８】
[00118]ファームウェアおよび／またはソフトウェアで実装される場合、機能は、非一時的コンピュータ可読記憶媒体６５８および／またはメモリ６５４上に１つまたは複数の命令またはコードとして記憶され得る。例としては、データ構造で符号化されたコンピュータ可読媒体、およびコンピュータプログラムで符号化されたコンピュータ可読媒体がある。たとえば、その上に記憶されたプログラムコードを含む非一時的コンピュータ可読媒体６５８は、開示される実施形態と一貫する形で、ＯＴＤＯＡ支援情報を使用するＯＴＤＯＡ測定をサポートするプログラムコード６０８を含むことができる。
【０１１９】
[00119]非一時的コンピュータ可読媒体は、種々の物理的コンピュータ記憶媒体を含む。記憶媒体は、コンピュータによってアクセスされ得る、任意の利用可能な媒体であってよい。限定ではなく、例として、そのような非一時的コンピュータ可読媒体は、ＲＡＭ、ＲＯＭ、ＥＥＰＲＯＭ、ＣＤ−ＲＯＭまたは他の光ディスク（disk）ストレージ、磁気ディスク（disk）ストレージ、もしくは他の磁気ストレージデバイス、または命令もしくはデータ構造の形で所望のプログラムコードを記憶するために使用され得、コンピュータによってアクセスされ得る任意の他の媒体を備えることができ、本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、データをレーザで光学的に再生する。非一時的コンピュータ可読媒体の他の実施形態は、フラッシュドライブ、ＵＳＢドライブ、ソリッドステートドライブ、メモリカードなどを含む。上述の組合せもコンピュータ可読媒体の範囲内に含まれるべきである。
【０１２０】
[00120]コンピュータ可読媒体上での記憶に加え、命令および／またはデータは、送信媒体上で信号として通信インターフェース６９０に提供されてよく、インターフェース６９０は、命令／データをメモリ６５４、ストレージ６６０中に記憶することができ、および／または命令／データを実行のために処理ユニット６５２に中継した。たとえば、通信インターフェース６９０は、命令およびデータを示すワイヤレスまたはネットワーク信号を受信し得る。命令およびデータは、１つまたは複数のプロセッサに、特許請求の範囲において概説される機能を実装させるように構成されている。すなわち、通信装置は、開示した機能を実施するための情報を示す信号をもつ伝送媒体を含む。
【０１２１】
[00121]メモリ６５４は、任意のデータ記憶機構を表し得る。たとえば、メモリ６５４は、一次メモリおよび／または二次メモリを含み得る。一次メモリは、たとえば、ランダムアクセスメモリ、読取り専用メモリ、不揮発性ＲＡＭなどを含むことができる。この例では処理ユニット６５２とは別個として示されているが、一次メモリの全部または一部は、処理ユニット６５２内に設けられ、または場合によっては処理ユニット６５２と共設／結合され得ることを理解されたい。二次メモリは、たとえば、一次メモリと同じまたは同様のタイプのメモリ、および／または、たとえばハードディスクドライブ、光ディスクドライブ、テープドライブ、ソリッドステートメモリドライブなどを含む１つもしくは複数のデータ記憶デバイス６６０などのストレージ６６０を含み得る。いくつかの実施形態では、ストレージ６６０は、システム１００および／またはより広いセルラーネットワーク中の様々なエンティティに関する情報を保持することができる１つまたは複数のデータベースを備え得る。いくつかの実施形態では、データベース中の情報は、ＭＳ１２０の能力、サーバ１５０の能力の記憶、ＯＴＤＯＡ支援データの生成、ＭＳ１２０のロケーションの計算などを含む様々な計算中に処理ユニット６５２によって読み取られ、使われ、および／またはアップデートされ得る。
【０１２２】
[00122]いくつかの実装形態では、二次メモリは、非一時的コンピュータ可読媒体６５８を動作可能に受容するか、または場合によってはそれに結合するように構成され得る。したがって、いくつかの例示的な実装形態では、本明細書で提示する方法および／または装置は、少なくとも１つの処理ユニット６５２によって実行されると、本明細書で説明する例示的な動作の全部または一部分を実行することが実効的に可能である、コンピュータ実装可能命令が記憶された非一時的コンピュータ可読媒体６５８を含むことができる、取外し可能メディアドライブ６７０の形を全体的に、またはその一部をとることができる。コンピュータ可読媒体６５８は、メモリ６５４の一部であってよい。
【０１２３】
[00123]本開示は、教授の目的で特定の実施形態に関連して記載されているが、本開示は、これに限定されない。本開示に対して、その範囲から逸脱することなく、様々な適応および修正が行われてよい。したがって、添付の特許請求の範囲の趣旨および範囲は上記の説明に限定されるべきでない。
以下に本願の出願当初の特許請求の範囲に記載された発明を付記する。
[Ｃ１]  観測到着時間差（ＯＴＤＯＡ）支援情報を提供する方法であって、
移動局（ＭＳ）に対して、前記ＭＳの１つまたは複数の隣接セルについてのセルタイミング情報を含む測定を要求することと、
前記１つまたは複数の隣接セルのサブセットについての隣接セル測定を受信することと、前記隣接セル測定は、前記ＭＳ用のサービングセルに対する前記サブセット中の前記隣接セルのセルタイミングオフセットを備えるセルタイミング情報を含み、各セルタイミングオフセットは前記サブセット中の固有隣接セルに関連付けられる、
ＯＴＤＯＡ支援データ基準セルと、前記サービングセルと前記ＯＴＤＯＡ支援データ基準セルとの間のセルタイミングオフセットとを備えるＯＴＤＯＡ支援データを生成することと、前記ＯＴＤＯＡ支援データ基準セルは、前記受信された隣接セル測定に基づいて選択される、を備える方法。
[Ｃ２]  前記ＯＴＤＯＡ支援データを前記ＭＳに送ることをさらに備える、Ｃ１に記載の方法。
[Ｃ３]  前記ＯＴＤＯＡ支援データが、ロングタームエボリューション（ＬＴＥ）測位プロトコル（ＬＰＰ）またはＬＰＰ拡張（ＬＰＰｅ）メッセージを使って前記ＭＳに送られる、Ｃ２に記載の方法。
[Ｃ４]  前記ＯＴＤＯＡ支援データは、
ＯＴＤＯＡ支援データセルのセットを備えるＯＴＤＯＡ支援データセル情報をさらに備え、前記ＯＴＤＯＡ支援データセルは、前記受信された隣接セル測定に基づいて選択される、Ｃ１に記載の方法。
[Ｃ５]  前記ＭＳに対して要求される前記測定は、前記１つまたは複数の隣接セルについてのセルグローバルアイデンティティ（ＣＧＩ）または次世代ＵＴＲＡＮセルグローバルアイデンティティ（ＥＣＧＩ）をさらに備える、Ｃ１に記載の方法。
[Ｃ６]  前記方法は、前記ＭＳに通信可能に結合されたロケーションサーバによって実施される、Ｃ１に記載の方法。
[Ｃ７]  移動局（ＭＳ）上での方法であって、
所望の長さをもつアイドル期間を基地局に対して要求することと、アイドル期間についての前記要求は、前記１つまたは複数の隣接セルに関する測定についての、前記ＭＳによって受信された要求に応答して行われ、前記要求された測定は、前記１つまたは複数の隣接セルについてのシステムフレーム番号（ＳＦＮ）またはセルグローバルアイデンティティ（ＣＧＩ）のうちの少なくとも１つを備える、
前記アイドル期間が構成されたという確認を受信すると、前記アイドル期間中に前記１つまたは複数の隣接セルのサブセットについての前記要求された測定を実施することと、ここにおいて前記測定は、前記サブセット中の隣接セルについてのセルタイミング情報をさらに備える、を備える方法。
[Ｃ８]  アイドル期間についての前記要求は、
間欠受信（ＤＲＸ）が所望されるかどうかの指示、または
自律ギャップを使うための要求のいずれかを含む、Ｃ７に記載の方法。
[Ｃ９]  前記要求される測定は、前記１つまたは複数の隣接セルについての次世代ＵＴＲＡＮセルグローバル識別子（ＥＣＧＩ）をさらに備え、
前記ＭＳは、前記要求された測定を実施するとき、前記サブセット中の隣接セルの前記ＥＣＧＩを取得する、Ｃ７に記載の方法。
[Ｃ１０]  前記１つまたは複数の隣接セルの前記サブセットについての前記隣接セル測定をロケーションサーバに送ること、ここにおいて前記セルタイミング情報は、前記ＭＳ用のサービングセルに対する前記サブセット中の前記隣接セルのセルタイミングオフセットを備え、ここにおいて各セルタイミングオフセットは前記サブセット中の固有隣接セルに関連付けられる、をさらに備える、Ｃ７に記載の方法。
[Ｃ１１]  各セルタイミングオフセットは、前記サービングセルのＳＦＮに対する隣接セルに関連付けられたシステムフレーム番号（ＳＦＮ）のオフセットとして計算される、Ｃ１０に記載の方法。
[Ｃ１２]  ＭＳ上での方法であって、
前記ＭＳのサービングセルと観測到着時間差（ＯＴＤＯＡ）支援データ基準セルとの間のシステムフレーム番号（ＳＦＮ）オフセットを備えるＯＴＤＯＡ支援データを受信することと、前記ＯＴＤＯＡ支援データ基準セルは前記ＭＳの隣接セルのセットから選択され、ここにおいて前記ＯＴＤＯＡ支援データは、少なくとも部分的に、隣接セルの前記セット中のセルの前記ＭＳによって実施された測定基づく、
前記ＯＴＤＯＡ支援データ中に含まれる前記サービングセルのＳＦＮおよび前記ＳＦＮオフセットに基づいて、前記ＯＴＤＯＡ支援データ基準セルのＳＦＮを決定することと、
前記ＯＴＤＯＡ支援データ基準セルの前記ＳＦＮおよび前記ＯＴＤＯＡ支援データ中に含まれるＰＲＳ情報に基づいて、隣接セルの前記セットの測位基準信号（ＰＲＳ）機会を決定することとを備える方法。
[Ｃ１３]  隣接セルのサブセットについてのＯＴＤＯＡ測定を実施することと、前記ＯＴＤＯＡ測定は、前記受信されたＯＴＤＯＡ支援データに少なくとも部分的に基づく、
前記ＯＴＤＯＡ測定を、前記ＭＳに通信可能に結合されたロケーションサーバに送ることとをさらに備える、Ｃ１２に記載の方法。
[Ｃ１４]  前記ＯＴＤＯＡ測定は、ロングタームエボリューション（ＬＴＥ）測位プロトコル（ＬＰＰ）またはＬＰＰ拡張（ＬＰＰｅ）メッセージを使って前記ロケーションサーバに送られる、Ｃ１３に記載の方法。
[Ｃ１５]  プロセッサと、前記プロセッサは、移動局（ＭＳ）に対して、前記ＭＳの１つまたは複数の隣接セルについてのセルタイミング情報を含む測定を要求するように構成され、前記セルタイミング情報は、前記ＭＳ用のサービングセルに対する、前記隣接セルのセルタイミングオフセットを備え、各セルタイミングオフセットは固有隣接セルに関連付けられる、
前記プロセッサに結合された通信インターフェースと、前記通信インターフェースは、前記隣接セルのサブセットについての前記隣接セル測定を受信するように構成される、を備えるサーバであって、
ここにおいて前記プロセッサは、ＯＴＤＯＡ支援データ基準セルと、前記サービングセルと前記ＯＴＤＯＡ支援データ基準セルとの間のセルタイミングオフセットとを備えるＯＴＤＯＡ支援データを生成するようにさらに構成され、前記ＯＴＤＯＡ支援データ基準セルは、前記受信された隣接セル測定に基づいて選択される、サーバ。
[Ｃ１６]  前記通信インターフェースは、前記ＯＴＤＯＡ支援データを前記ＭＳに送るようにさらに構成される、Ｃ１５に記載のサーバ。
[Ｃ１７]  前記プロセッサは、前記ＯＴＤＯＡ支援データをロングタームエボリューション（ＬＴＥ）測位プロトコル（ＬＰＰ）またはＬＰＰ拡張（ＬＰＰｅ）メッセージとして生成するように構成される、Ｃ１５に記載のサーバ。
[Ｃ１８]  前記ＯＴＤＯＡ支援データは、
ＯＴＤＯＡ支援データセルのセットを備えるＯＴＤＯＡ支援データセル情報をさらに備え、
ここにおいて前記プロセッサは、前記受信された隣接セル測定に基づいて前記ＯＴＤＯＡ支援データセルを選択するように構成される、Ｃ１５に記載のサーバ。
[Ｃ１９]  前記ＭＳに対して要求される前記測定は、前記１つまたは複数の隣接セルのセルグローバルアイデンティティ（ＣＧＩ）または次世代ＵＴＲＡＮセルグローバルアイデンティティ（ＥＣＧＩ）をさらに備える、Ｃ１５に記載のサーバ。
[Ｃ２０]  トランシーバと、前記トランシーバは、１つまたは複数の隣接セルに関する測定についての要求を受信するためであり、前記要求される測定は、前記１つまたは複数の隣接セルについてのシステムフレーム番号（ＳＦＮ）またはセルグローバルアイデンティティ（ＣＧＩ）のうちの少なくとも１つを備える、
前記トランシーバに結合されたプロセッサとを備える移動局（ＭＳ）であって、ここにおいて前記プロセッサは、
所望の長さをもつアイドル期間を基地局に対して要求する、アイドル期間についての前記要求は、前記１つまたは複数の隣接セルに関する測定についての前記要求に応答して行われ、
前記アイドル期間が構成されたという確認を受信すると、前記アイドル期間中に前記１つまたは複数の隣接セルのサブセットについての前記要求された測定を実施する、ここにおいて前記測定は、前記サブセット中の隣接セルについてのセルタイミング情報を備える、ように構成される、ＭＳ。
[Ｃ２１]  アイドル期間についての前記要求は、
間欠受信（ＤＲＸ）が所望されるかどうかの指示、または
自律ギャップを使うための要求のいずれかを含む、Ｃ２０に記載のＭＳ。
[Ｃ２２]  前記要求される測定は、前記１つまたは複数の隣接セルについての次世代ＵＴＲＡＮセルグローバル識別子（ＥＣＧＩ）をさらに備え、
前記プロセッサは、前記要求された測定を実施するとき、前記サブセット中の隣接セルの前記ＥＣＧＩを取得するように構成される、Ｃ２０に記載のＭＳ。
[Ｃ２３]  前記セルタイミング情報は、前記ＭＳ用のサービングセルに対する前記サブセット中の前記隣接セルのセルタイミングオフセットを備え、ここにおいて各セルタイミングオフセットは、前記サブセット中の固有隣接セルに関連付けられる、
前記トランシーバは、前記１つまたは複数の隣接セルの前記サブセットについての前記隣接セル測定をロケーションサーバに送るようにさらに構成される、Ｃ２０に記載のＭＳ。
[Ｃ２４]  各セルタイミングオフセットは、前記サービングセルのＳＦＮに対する隣接セルに関連付けられたシステムフレーム番号（ＳＦＮ）のオフセットとして計算される、Ｃ２３に記載のＭＳ。
[Ｃ２５]  移動局（ＭＳ）のサービングセルとＯＴＤＯＡ支援データ基準セルとの間のシステムフレーム番号（ＳＦＮ）オフセットを備える観測到着時間差（ＯＴＤＯＡ）支援データを受信するためのトランシーバと、前記ＯＴＤＯＡ支援データ基準セルは前記ＭＳの隣接セルのセットから選択され、ここにおいて前記ＯＴＤＯＡ支援データは、少なくとも部分的に、隣接セルの前記セット中のセルの前記ＭＳによって実施された測定基づく、
前記トランシーバに結合されたプロセッサとを備えるＭＳであって、ここにおいて前記プロセッサは、
前記ＯＴＤＯＡ支援データ中に含まれる前記サービングセルのＳＦＮおよび前記ＳＦＮオフセットに基づいて、前記ＯＴＤＯＡ支援データ基準セルのＳＦＮを決定し、
前記ＯＴＤＯＡ支援データ基準セルの前記ＳＦＮおよび前記ＯＴＤＯＡ支援データ中に含まれるＰＲＳ情報に基づいて、隣接セルの前記セットの測位基準信号（ＰＲＳ）機会を決定するように構成される、ＭＳ。
[Ｃ２６]  前記プロセッサは、隣接セルのサブセットについてのＯＴＤＯＡ測定を実施するようにさらに構成され、前記ＯＴＤＯＡ測定は、前記受信されたＯＴＤＯＡ支援データに少なくとも部分的に基づく、
前記トランシーバはさらに、前記ＯＴＤＯＡ測定を、前記ＭＳに通信可能に結合されたロケーションサーバに送るためである、Ｃ２５に記載のＭＳ。
[Ｃ２７]  前記ＯＴＤＯＡ測定は、ロングタームエボリューション（ＬＴＥ）測位プロトコル（ＬＰＰ）またはＬＰＰ拡張（ＬＰＰｅ）メッセージを使って前記ロケーションサーバに送られる、Ｃ２６に記載のＭＳ。
[Ｃ２８]  移動局（ＭＳ）に対して、前記ＭＳの１つまたは複数の隣接セルについてのセルタイミング情報を含む測定を要求するための手段と、前記セルタイミング情報は、前記ＭＳ用のサービングセルに対する、前記隣接セルのセルタイミングオフセットを備え、各セルタイミングオフセットは固有隣接セルに関連付けられる、
前記隣接セルのサブセットについての前記要求された隣接セル測定を受信するための手段と、
ＯＴＤＯＡ支援データ基準セルと、前記サービングセルと前記ＯＴＤＯＡ支援データ基準セルとの間のセルタイミングオフセットとを備えるＯＴＤＯＡ支援データを生成するための手段と、前記ＯＴＤＯＡ支援データ基準セルは、前記受信された隣接セル測定に基づいて選択される、を備える装置。
[Ｃ２９]  前記ＯＴＤＯＡ支援データを前記ＭＳに送るための手段をさらに備える、Ｃ２８に記載の装置。
[Ｃ３０]  前記ＯＴＤＯＡ支援データは、ロングタームエボリューション（ＬＴＥ）測位プロトコル（ＬＰＰ）またはＬＰＰ拡張（ＬＰＰｅ）メッセージとして生成される、Ｃ２８に記載の装置。
[Ｃ３１]  ＯＴＤＯＡ支援データを生成するための前記手段は、
前記受信された隣接セル測定に基づいてＯＴＤＯＡ支援データセルを選択するための手段をさらに備え、
ここにおいて、ＯＴＤＯＡ支援データを生成するための前記手段は、前記選択されたＯＴＤＯＡ支援データセルを、前記生成されたＯＴＤＯＡ支援データ中のＯＴＤＯＡ支援データセル情報の一部として含める、Ｃ２８に記載の装置
[Ｃ３２]  前記ＭＳに対して要求される前記測定は、前記１つまたは複数の隣接セルのセルグローバルアイデンティティ（ＣＧＩ）または次世代ＵＴＲＡＮセルグローバルアイデンティティ（ＥＣＧＩ）をさらに備える、Ｃ２８に記載の装置。
[Ｃ３３]  １つまたは複数の隣接セルに関する測定についての要求を受信するための手段と、前記要求される測定は、前記１つまたは複数の隣接セルについてのシステムフレーム番号（ＳＦＮ）またはセルグローバルアイデンティティ（ＣＧＩ）のうちの少なくとも１つを備える、
所望の長さをもつアイドル期間を基地局に対して要求するための手段と、アイドル期間についての前記要求は、前記１つまたは複数の隣接セルに関する測定についての前記要求に応答して行われる、
前記アイドル期間が構成されたという確認を受信すると、前記アイドル期間中に前記１つまたは複数の隣接セルのサブセットについての前記要求された測定を実施するための手段と、ここにおいて前記測定は、前記サブセット中の隣接セルについてのセルタイミング情報を備える、を備える移動局（ＭＳ）。
[Ｃ３４]  アイドル期間についての前記要求は、
間欠受信（ＤＲＸ）が所望されるかどうかの指示、または
自律ギャップを使うための要求のいずれかを含む、Ｃ３３に記載のＭＳ。
[Ｃ３５]  前記要求された測定が前記１つまたは複数の隣接セルについての前記ＥＣＧＩをさらに備えるとき、前記要求された測定を実施するとき、前記サブセット中の隣接セルの次世代ＵＴＲＡＮセルグローバル識別子（ＥＣＧＩ）を取得するための手段をさらに備える、Ｃ３３に記載のＭＳ。
[Ｃ３６]  前記１つまたは複数の隣接セルの前記サブセットについての前記隣接セル測定をロケーションサーバに送るための手段をさらに備え、
ここにおいて前記隣接セル測定はセルタイミング情報を含み、前記セルタイミング情報は、前記ＭＳ用のサービングセルに対する前記サブセット中の前記隣接セルのセルタイミングオフセットを備え、ここにおいて各セルタイミングオフセットは前記サブセット中の固有隣接セルに関連付けられる、Ｃ３３に記載のＭＳ。
[Ｃ３７]  各セルタイミングオフセットは、前記サービングセルの前記ＳＦＮに対する隣接セルに関連付けられたシステムフレーム番号（ＳＦＮ）のオフセットとして計算される、Ｃ３３に記載のＭＳ。
[Ｃ３８]  移動局（ＭＳ）のサービングセルと観測到着時間差（ＯＴＤＯＡ）支援データ基準セルとの間のシステムフレーム番号（ＳＦＮ）オフセットを備えるＯＴＤＯＡ支援データを受信するための手段と、前記ＯＴＤＯＡ支援データ基準セルは前記ＭＳの隣接セルのセットから選択され、ここにおいて前記ＯＴＤＯＡ支援データは、少なくとも部分的に、隣接セルの前記セット中のセルの前記ＭＳによって実施された測定基づく、
前記ＯＴＤＯＡ支援データ中に含まれる前記サービングセルのＳＦＮおよび前記ＳＦＮオフセットに基づいて、前記ＯＴＤＯＡ支援データ基準セルのＳＦＮを決定するための手段と、
前記ＯＴＤＯＡ支援データ基準セルの前記ＳＦＮおよび前記ＯＴＤＯＡ支援データ中に含まれる測位基準信号（ＰＲＳ）情報に基づいて、隣接セルの前記セットのＰＲＳ機会を決定するための手段とを備えるＭＳ。
[Ｃ３９]  隣接セルのサブセットについてのＯＴＤＯＡ測定を実施するための手段と、前記ＯＴＤＯＡ測定は、前記受信されたＯＴＤＯＡ支援データに少なくとも部分的に基づく、
前記ＯＴＤＯＡ測定を、前記ＭＳに通信可能に結合されたロケーションサーバに送るための手段とをさらに備える、Ｃ３８に記載のＭＳ。
[Ｃ４０]  前記ＯＴＤＯＡ測定は、ロングタームエボリューション（ＬＴＥ）測位プロトコル（ＬＰＰ）またはＬＰＰ拡張（ＬＰＰｅ）メッセージを使って前記ロケーションサーバに送られる、Ｃ３８に記載のＭＳ。
[Ｃ４１]  命令を備える非一時的コンピュータ可読媒体であって、前記命令は、プロセッサによって実行されると、観測到着時間差（ＯＴＤＯＡ）支援情報を提供するための方法におけるステップを実施し、前記ステップは、
移動局（ＭＳ）に対して、前記ＭＳの１つまたは複数の隣接セルについてのセルタイミング情報を含む測定を要求することと、
前記１つまたは複数の隣接セルのサブセットについての隣接セル測定を受信することと、前記隣接セル測定は、前記ＭＳ用のサービングセルに対する前記サブセット中の前記隣接セルのセルタイミングオフセットを備えるセルタイミング情報を含み、各セルタイミングオフセットは前記サブセット中の固有隣接セルに関連付けられる、
ＯＴＤＯＡ支援データ基準セルと、前記サービングセルと前記ＯＴＤＯＡ支援データ基準セルとの間のセルタイミングオフセットとを備えるＯＴＤＯＡ支援データを生成することと、前記ＯＴＤＯＡ支援データ基準セルは、前記受信された隣接セル測定に基づいて選択される、を備える、コンピュータ可読媒体。
[Ｃ４２]  前記ＯＴＤＯＡ支援情報を前記ＭＳに送ることをさらに備える、Ｃ４１に記載のコンピュータ可読媒体。
[Ｃ４３]  前記ＯＴＤＯＡ支援データは、
ＯＴＤＯＡ支援データセルのセットを備えるＯＴＤＯＡ支援データセル情報をさらに備え、前記ＯＴＤＯＡ支援データセルは、前記受信された隣接セル測定に基づいて選択される、Ｃ４１に記載のコンピュータ可読媒体。
[Ｃ４４]  前記ＭＳに対して要求される前記測定は、前記１つまたは複数の隣接セルのセルグローバルアイデンティティ（ＣＧＩ）または次世代ＵＴＲＡＮセルグローバルアイデンティティ（ＥＣＧＩ）をさらに備える、Ｃ４１に記載のコンピュータ可読媒体。
[Ｃ４５]  前記ＯＴＤＯＡ支援情報が、ロングタームエボリューション（ＬＴＥ）測位プロトコル（ＬＰＰ）またはＬＰＰ拡張（ＬＰＰｅ）メッセージを使って前記ＭＳに送られる、Ｃ４１に記載のコンピュータ可読媒体。
[Ｃ４６]  命令を備える非一時的コンピュータ可読媒体であって、前記命令は、プロセッサによって実行されると、移動局（ＭＳ）上での方法におけるステップを実施し、前記ステップは、
所望の長さをもつアイドル期間を基地局に対して要求することと、アイドル期間についての前記要求は、前記１つまたは複数の隣接セルに関する測定についての、前記ＭＳによって受信された要求に応答して行われ、前記要求された測定は、前記１つまたは複数の隣接セルについてのシステムフレーム番号（ＳＦＮ）またはセルグローバルアイデンティティ（ＣＧＩ）のうちの少なくとも１つを備える、
前記アイドル期間が構成されたという確認を受信すると、前記アイドル期間中に前記１つまたは複数の隣接セルのサブセットについての前記要求された測定を実施することと、ここにおいて前記測定は、前記サブセット中の隣接セルについてのセルタイミング情報を備える、を備える、コンピュータ可読媒体。
[Ｃ４７]  アイドル期間についての前記要求は、
間欠受信（ＤＲＸ）が所望されるかどうかの指示、または
自律ギャップを使うための要求のいずれかを含む、Ｃ４６に記載のコンピュータ可読媒体。
[Ｃ４８]  前記要求される測定は、前記１つまたは複数の隣接セルについての次世代ＵＴＲＡＮセルグローバル識別子（ＥＣＧＩ）をさらに備え、
前記ＭＳは、前記要求された測定を実施するとき、前記サブセット中の隣接セルの前記ＥＣＧＩを取得する、Ｃ４６に記載のコンピュータ可読媒体。
[Ｃ４９]  前記１つまたは複数の隣接セルの前記サブセットについての前記隣接セル測定をロケーションサーバに送ること、ここにおいて前記セルタイミング情報は、前記ＭＳ用のサービングセルに対する前記サブセット中の前記隣接セルのセルタイミングオフセットを備え、ここにおいて各セルタイミングオフセットは前記サブセット中の固有隣接セルに関連付けられる、をさらに備える、Ｃ４６に記載のコンピュータ可読媒体。
[Ｃ５０]  各セルタイミングオフセットは、前記サービングセルのＳＦＮに対する、隣接セルに関連付けられた前記システムフレーム番号（ＳＦＮ）のオフセットとして計算される、Ｃ５３に記載の方法。
[Ｃ５１]  命令を備える非一時的コンピュータ可読媒体であって、前記命令は、プロセッサによって実行されると、移動局（ＭＳ）上での方法におけるステップを実施し、前記ステップは、
前記ＭＳのサービングセルとＯＴＤＯＡ支援データ基準セルとの間のシステムフレーム番号（ＳＦＮ）オフセットを備える観測到着時間差（ＯＴＤＯＡ）支援データを受信することと、前記ＯＴＤＯＡ支援データ基準セルは前記ＭＳの隣接セルのセットから選択され、ここにおいて前記ＯＴＤＯＡ支援データは、少なくとも部分的に、隣接セルの前記セット中のセルの前記ＭＳによって実施された測定基づく、
前記ＯＴＤＯＡ支援データ中に含まれる前記サービングセルのＳＦＮおよび前記ＳＦＮオフセットに基づいて、前記ＯＴＤＯＡ支援データ基準セルのＳＦＮを決定することと、
前記ＯＴＤＯＡ支援データ基準セルの前記ＳＦＮおよび前記ＯＴＤＯＡ支援データ中に含まれるＰＲＳ情報に基づいて、隣接セルの前記セットの測位基準信号（ＰＲＳ）機会を決定することとを備える、コンピュータ可読媒体。
[Ｃ５２]  隣接セルのサブセットについてのＯＴＤＯＡ測定を実施することと、前記ＯＴＤＯＡ測定は、前記受信されたＯＴＤＯＡ支援データに少なくとも部分的に基づく、
前記ＯＴＤＯＡ測定を、前記ＭＳに通信可能に結合されたロケーションサーバに送ることとをさらに備える、Ｃ５１に記載の方法。
[Ｃ５３]  前記ＯＴＤＯＡ測定は、ロングタームエボリューション（ＬＴＥ）測位プロトコル（ＬＰＰ）またはＬＰＰ拡張（ＬＰＰｅ）メッセージを使って前記ロケーションサーバに送られる、Ｃ５２に記載の方法。
【図１】
0006479886.tif 000007
【図２】
0006479886.tif 000008
【図３Ａ】
0006479886.tif 000009
【図３Ｂ】
0006479886.tif 000010
【図４】
0006479886.tif 000011
【図５】
0006479886.tif 000012
【図６】
0006479886.tif 000013
【図７】
0006479886.tif 000014
【図８】
0006479886.tif 000015
【図９】
0006479886.tif 000016